(57)【特許請求の範囲】
【請求項１】
傾けて観察したときに潜像模様が観察される潜像模様形成体であって、基材の少なくとも一部に、凹形状及び／又は凸形状の第１の要素が万線状に複数配置されて成る第１の模様及び前記第１の要素と異なる色の第２の要素が万線状に複数配置されて成る第２の模様が形成され、前記第１の要素は、第１の潜像要素、第２の潜像要素及び背景要素から成り、前記第１の潜像要素、前記第２の潜像要素及び前記背景要素はすべて位相が異なり、かつ、すべて同じピッチで配置され、前記第１の潜像要素、前記第２の潜像要素及び前記背景要素のうち、少なくとも二つの要素に前記第２の要素が異なる面積率で重なり、前記第１の潜像要素に前記第２の要素が重なる又は重ならないことによって、第１の潜像部が形成され、前記第２の潜像要素に前記第２の要素が重なる又は重ならないことによって、第２の潜像部が形成され、前記背景要素に前記第２の要素が重なる又は重ならないことによって、前記第１の潜像部と前記第２の潜像部に共通する背景部が形成され、前記第１の潜像要素、前記第２の潜像要素及び前記背景要素のうち、少なくとも二つの要素に重なる前記第２の要素の面積率の差によって、前記第１の潜像部と前記第２の潜像部は異なる濃度を有し、複数の前記第１の潜像部と複数の前記第２の潜像部によって前記潜像模様が形成され、前記基材を傾けて観察すると、前記面積率の差により、複数の前記第１の潜像部と複数の前記第２の潜像部が異なる濃度で観察され、かつ、複数の前記第１の潜像部又は複数の前記第２の潜像部の一方によって、前記潜像模様の図柄が観察され、他方によって、前記潜像模様の図柄の背景が観察されることを特徴とする潜像模様形成体。
【請求項２】
前記第１の潜像要素、前記第２の潜像要素、前記背景要素及び前記第２の要素の関係は、
１−１）前記第１の潜像要素に前記第２の要素が重なり、前記第２の潜像要素に前記第２の要素が重なることなく、前記背景要素に、前記第１の潜像要素に重なる前記第２の要素の面積率と異なる面積率で前記第２の要素が重なり、又は、
１−２）前記第１の潜像要素に前記第２の要素が重なり、前記第２の潜像要素に、前記第１の潜像要素に重なる前記第２の要素の面積率と異なる面積率で前記第２の要素が重なり、前記背景要素に前記第２の要素が重なることなく、又は、
１−３）前記第１の潜像要素に前記第２の要素が重なることなく、前記第２の潜像要素に前記第２の要素が重なり、前記背景要素に、前記第２の潜像要素に重なる前記第２の要素の面積率と異なる面積率で前記第２の要素が重なり、又は、
１−４）前記第１の潜像要素に前記第２の要素が重なり、前記第２の潜像要素に、前記第１の潜像要素に重なる前記第２の要素の面積率と異なる面積率で前記第２の要素が重なり、前記背景要素に、前記第１の潜像要素に重なる前記第２の要素の面積率及び前記第２の潜像要素に重なる前記第２の要素の面積率と異なる面積率で前記第２の要素が重なり、
前記１−１）乃至前記１−４）のいずれかによって、前記第１の潜像部、前記第２の潜像部及び前記背景部が形成されることを特徴とする請求項１記載の潜像模様形成体。
【請求項３】
傾けて観察したときに潜像模様が観察される潜像模様形成体であって、基材の少なくとも一部に、凹形状及び／又は凸形状の第１の要素が万線状に複数配置されて成る第１の模様及び前記第１の要素と異なる色の第２の要素が万線状に複数配置されて成る第２の模様が形成され、前記第１の要素は、潜像要素、第一の背景要素及び第二の背景要素から成り、前記潜像要素、前記第一の背景要素及び前記第二の背景要素はすべて位相が異なり、かつ、すべて同じピッチで配置され、前記潜像要素、前記第１の背景要素及び前記第２の背景要素のうち、少なくとも二つの要素に前記第２の要素が異なる面積率で重なり、前記第１の背景要素に前記第２の要素が重なる又は重ならないことによって、第１の背景部が形成され、前記第２の背景要素に前記第２の要素が重なる又は重ならないことによって、第２の背景部が形成され、前記潜像要素に前記第２の要素が重なる又は重ならないことによって、前記第１の背景部と前記第２の背景部に共通する潜像部が形成され、前記潜像要素、前記第１の背景要素及び前記第２の背景要素のうち、少なくとも二つの要素に重なる前記第２の要素の面積率の差によって、前記第１の背景部と前記第２の背景部は異なる濃度を有し前記第１の背景部と前記第２の背景部によって前記潜像模様が形成され、前記基材を傾けて観察すると、前記面積率の差により、前記第１の背景部と前記第２の背景部が異なる濃度で観察され、かつ、前記第１の背景部又は前記第２の背景部の一方によって、前記潜像模様の図柄が観察され、他方によって、前記潜像模様の図柄の背景が観察されることを特徴とする潜像模様形成体。
【請求項４】
前記第１の背景要素、前記第２の背景要素、前記潜像要素及び前記第２の要素の関係は、
２−１）前記潜像要素に前記第２の要素が重なり、前記第１の背景要素に前記第２の要素が重なることなく、前記第２の背景要素に、前記潜像要素に重なる前記第２の要素の面積率と異なる面積率で前記第２の要素が重なり、又は、
２−２）前記潜像要素に前記第２の要素が重なり、前記第１の背景要素に、前記潜像要素に重なる前記第２の要素の面積率と異なる面積率で前記第２の要素が重なり、前記第２の背景要素に前記第２の要素が重なることなく、又は、
２−３）前記潜像要素に前記第２の要素が重なることなく、前記第１の背景要素に前記第２の要素が重なり、前記第２の背景要素に、前記第１の背景要素に重なる前記第２の要素の面積率と異なる面積率で前記第２の要素が重なり、又は、
２−４）前記潜像要素に前記第２の要素が重なり、前記第１の背景要素に、前記潜像要素に重なる前記第２の要素の面積率と異なる面積率で前記第２の要素が重なり、前記第２の背景要素に、前記潜像要素に重なる前記第２の要素の面積率及び前記第１の背景要素に重なる前記第２の要素の面積率と異なる面積率で前記第２の要素が重なり、
前記２−１）乃至前記２−４）のいずれかによって、前記第１の背景部、前記第２の背景部及び前記潜像部が形成されることを特徴とする請求項３記載の潜像模様形成体。
【請求項５】
前記第１の要素及び前記第２の要素が、画線又は画素の少なくとも一つ、又はその組み合わせから成ることを特徴とする請求項１乃至４のいずれか１項に記載の潜像模様形成体。
【請求項６】
傾けて観察したときに潜像模様が観察される潜像模様形成体であって、基材の少なくとも一部に、凹形状及び／又は凸形状の第１の要素が万線状に複数配置されて成る第１の模様及び前記第１の要素と異なる色の第２の要素が万線状に複数配置されて成る第２の模様及び前記第１の要素及び前記第２の要素と異なる色の第３の要素が万線状に複数配置されて成る第３の模様が形成され、前記第１の要素は、第１の潜像要素、第２の潜像要素及び背景要素から成り、前記第１の潜像要素、前記第２の潜像要素及び前記背景要素はすべて位相が異なり、かつ、すべて同じピッチで配置され、前記第１の潜像要素、前記第２の潜像要素及び前記背景要素のうち、一つの要素に前記第２の要素が重なり、前記第３の要素は、複数配置された前記第２の要素に重ならず、かつ、前記第２の要素が重ならない前記第１の潜像要素、前記第２の潜像要素及び前記背景要素のうちの一つに重なり、前記第１の潜像要素に前記第２の要素と前記第３の要素のうちの一方が重なる又は前記第２の要素と前記第３の要素が重ならないことによって、第１の潜像部が形成され、前記第２の潜像要素に前記第２の要素と前記第３の要素のうちの一方が重なる又は前記第２の要素と前記第３の要素が重ならないことによって、第２の潜像部が形成され、前記背景要素に前記第２の要素と前記第３の要素のうちの一方が重なる又は前記第２の要素と前記第３の要素が重ならないことによって、前記第１の潜像部と前記第２の潜像部に共通する背景部が形成され、前記第１の潜像要素、前記第２の潜像要素及び前記背景要素のうち、二つに重なる前記第２の要素と前記第３の要素の色の差によって、前記第１の潜像部と前記第２の潜像部は、異なる色を有し、複数の前記第１の潜像部と複数の前記第２の潜像部によって前記潜像模様が形成され、前記基材を傾けて観察すると、前記色の差により、複数の前記第１の潜像部と複数の前記第２の潜像部が異なる色で観察され、複数の前記第１の潜像部又は複数の前記第２の潜像部の一方によって、前記潜像模様の図柄が観察され、他方によって、前記潜像模様の図柄の背景が観察されることを特徴とする潜像模様形成体。
【請求項７】
前記第１の潜像要素、前記第２の潜像要素、前記背景要素、前記第２の要素及び第３の要素の関係は、
３−１）前記第１の潜像要素に、前記第２の要素と前記第３の要素のうちの一方が重なり、前記第２の潜像要素に、前記第２の要素と前記第３の要素のうち、前記第１の潜像要素に重ならない残りの要素が重なり、前記背景要素に前記第２の要素と前記第３の要素が重なることなく、又は、
３−２）前記第１の潜像要素に、前記第２の要素と前記第３の要素のうちの一方が重なり、前記第２の潜像要素に前記第２の要素と前記第３の要素が重なることなく、前記背景要素に、前記第２の要素と前記第３の要素のうち、前記第１の潜像要素に重ならない残りの要素が重なり、又は、
３−３）前記第１の潜像要素に前記第２の要素と前記第３の要素が重なることなく、前記第２の潜像要素に、前記第２の要素と前記第３の要素のうちの一方が重なり、前記背景要素に、前記第２の要素と前記第３の要素のうち、前記第２の潜像要素に重ならない残りの要素が重なり、
前記３−１）乃至前記３−３）のいずれかによって、前記第１の潜像部、前記第２の潜像部及び前記背景部が形成されることを特徴とする請求項６記載の潜像模様形成体。
【請求項８】
傾けて観察したときに潜像模様が観察される潜像模様形成体であって、基材の少なくとも一部に、凹形状及び／又は凸形状の第１の要素が万線状に複数配置されて成る第１の模様及び前記第１の要素と異なる色の第２の要素が万線状に複数配置されて成る第２の模様及び前記第１の要素及び前記第２の要素と異なる色の第３の要素が万線状に複数配置されて成る第３の模様が形成され、前記第１の要素は、第１の潜像要素、第２の潜像要素及び背景要素から成り、前記第１の潜像要素、前記第２の潜像要素及び前記背景要素はすべて位相が異なり、かつ、すべて同じピッチで配置され、前記第２の要素は、前記第１の潜像要素、前記第２の潜像要素及び前記背景要素のうち、二つの要素に異なる面積率で重なり、前記第３の要素は、複数配置された前記第２の要素に重ならず、かつ、前記第２の要素が重ならない前記第１の潜像要素、前記第２の潜像要素及び前記背景要素のうちの残りの一つに少なくとも重なり、前記第１の潜像要素に前記第２の要素と前記第３の要素のうちの一方又は両方が重なることによって第１の潜像部が形成され、前記第２の潜像要素に前記第２の要素と前記第３の要素のうちの一方又は両方が重なることによって第２の潜像部が形成され、前記背景要素に前記第２の要素と前記第３の要素のうちの一方又は両方が重なることによって前記第１の潜像部と前記第２の潜像部に共通する背景部が形成され、前記第１の潜像要素、前記第２の潜像要素に重なる前記第２の要素と前記第３の要素の色の差又は前記第１の潜像要素、前記第２の潜像要素に重なる前記第２の要素の面積率の差によって、前記第１の潜像部と前記第２の潜像部は、異なる色又は異なる濃度を有し、複数の前記第１の潜像部と複数の前記第２の潜像部によって前記潜像模様が形成され、前記基材を傾けて観察すると、前記色の差又は面積率の差によって、複数の前記第１の潜像部と複数の前記第２の潜像部が異なる色又は濃度で観察され、複数の前記第１の潜像部又は複数の前記第２の潜像部の一方によって、前記潜像模様の図柄が観察され、他方によって、前記潜像模様の図柄の背景が観察されることを特徴とする潜像模様形成体。
【請求項９】
前記第１の潜像要素、前記第２の潜像要素、前記背景要素、前記第２の要素及び第３の要素の関係は、
４−１）前記第１の潜像要素に前記第２の要素が重なり、前記第２の潜像要素に、前記第１の潜像要素に重なる前記第２の要素の面積率と異なる面積率で前記第２の要素が重なり、前記背景要素に前記第３の要素が重なり、又は、
４−２）前記第１の潜像要素に前記第３の要素が重なり、前記第２の潜像要素に前記第２の要素が重なり、前記背景要素に、第２の潜像要素に重なる前記第２の要素の面積率と異なる面積率で前記第２の要素が重なり、又は、
４−３）前記第１の潜像要素に前記第２の要素が重なり、前記第２の潜像要素に前記第３の要素が重なり、前記背景要素に、第１の潜像要素に重なる前記第２の要素の面積率と異なる面積率で前記第２の要素が重なり、  
前記４−１）乃至前記４−３）のいずれかによって、前記第１の背景部、前記第２の背景部及び前記潜像部が形成されることを特徴とする請求項８記載の潜像模様形成体。
【請求項１０】
前記第２の要素が重なる前記第１の潜像要素、前記第２の潜像要素及び背景要素の二つの要素のうち、一つの要素に前記第３の要素が重なることを特徴とする請求項９項に記載の潜像模様形成体。
【請求項１１】
傾けて観察したときに潜像模様が観察される潜像模様形成体であって、基材の少なくとも一部に、凹形状及び／又は凸形状の第１の要素が万線状に複数配置されて成る第１の模様及び前記第１の要素と異なる色の第２の要素が万線状に複数配置されて成る第２の模様及び前記第１の要素及び前記第２の要素と異なる色の第３の要素が万線状に複数配置されて成る第３の模様が形成され、前記第１の要素は、潜像要素、第１の背景要素及び第２の背景要素から成り、前記潜像要素、前記第１の背景要素及び前記第２の背景要素はすべて位相が異なり、かつ、すべて同じピッチで配置され、前記潜像要素、前記第１の背景要素及び前記第２の背景要素のうち、一つの要素に前記第２の要素が重なり、前記第３の要素は、複数配置された前記第２の要素に重ならず、かつ、前記第２の要素が重ならない前記潜像要素、前記第１の背景要素及び前記第２の背景要素のうちの一つに重なり、前記第１の背景要素に前記第２の要素と前記第３の要素のうちの一方が重なる又は前記第２の要素と前記第３の要素が重ならないことによって、第１の背景部が形成され、前記第２の背景要素に前記第２の要素と前記第３の要素のうちの一方が重なる又は前記第２の要素と前記第３の要素が重ならないことによって、第２の背景部が形成され、前記潜像要素に前記第２の要素と前記第３の要素のうちの一方が重なる又は前記第２の要素と前記第３の要素が重ならないことによって、前記第１の背景部と前記第２の背景部に共通する潜像部が形成され、前記潜像要素、前記第１の背景要素及び前記第２の背景要素のうち、二つに重なる前記第２の要素と前記第３の要素の色の差によって、前記第１の背景部と前記第２の背景部は、異なる色を有し、前記第１の背景部と前記第２の背景部によって前記潜像模様が形成され、前記基材を傾けて観察すると、前記色の差により、前記第１の背景部と前記第２の背景部が異なる色で観察され、前記第１の背景部又は前記第２の背景部の一方によって、前記潜像模様の図柄が観察され、他方によって、前記潜像模様の図柄の背景が観察されることを特徴とする潜像模様形成体。
【請求項１２】
前記第１の背景要素、前記第２の背景要素、前記潜像要素、前記第２の要素及び第３の要素の関係は、
５−１）前記潜像要素に、前記第２の要素と前記第３の要素のうちの一方が重なり、前記第１の背景要素に、前記第２の要素と前記第３の要素のうち、前記潜像要素に重ならない残りの要素が重なり、前記第２の背景要素に前記第２の要素と前記第３の要素が重なることなく、又は、
５−２）前記潜像要素に、前記第２の要素と前記第３の要素のうちの一方が重なり、前記第１の背景要素に前記第２の要素と前記第３の要素が重なることなく、前記第２の背景要素に、前記第２の要素と前記第３の要素のうち、前記潜像要素に重ならない残りの要素が重なり、又は、
５−３）前記潜像要素に前記第２の要素と前記第３の要素が重なることなく、前記第１の背景要素に、前記第２の要素と前記第３の要素のうちの一方が重なり、前記第２の背景要素に、前記第２の要素と前記第３の要素のうち、前記第１の背景要素に重ならない残りの要素が重なり、
前記５−１）乃至前記５−３）のいずれかによって、前記第１の背景部、前記第２の背景部及び前記潜像部が形成されることを特徴とする請求項１１記載の潜像模様形成体。
【請求項１３】
傾けて観察したときに潜像模様が観察される潜像模様形成体であって、基材の少なくとも一部に、凹形状及び／又は凸形状の第１の要素が万線状に複数配置されて成る第１の模様及び前記第１の要素と異なる色の第２の要素が万線状に複数配置されて成る第２の模様及び前記第１の要素及び前記第２の要素と異なる色の第３の要素が万線状に複数配置されて成る第３の模様が形成され、前記第１の要素は、潜像要素、第１の背景要素及び第２の背景要素から成り、前記潜像要素、前記第１の背景要素及び前記第２の背景要素はすべて位相が異なり、かつ、すべて同じピッチで配置され、前記第２の要素は、前記潜像要素、前記第１の背景要素及び前記第２の背景要素のうち、二つの要素に異なる面積率で重なり、前記第３の要素は、複数配置された前記第２の要素に重ならず、かつ、前記第２の要素が重ならない前記潜像要素、前記第１の背景要素及び前記第２の背景要素のうちの残りの一つに少なくとも重なり、前記第１の背景要素に前記第２の要素と前記第３の要素のうちの一方又は両方が重なることによって第１の背景部が形成され、前記第２の背景要素に前記第２の要素と前記第３の要素のうちの一方又は両方が重なることによって第２の背景部が形成され、前記潜像要素に前記第２の要素と前記第３の要素のうちの一方又は両方が重なることによって前記第１の背景部と前記第２の背景部に共通する潜像部が形成され、前記第１の背景要素、前記第２の背景要素に重なる前記第２の要素と前記第３の要素の色の差又は前記第１の背景要素、前記第２の背景要素に重なる前記第２の要素の面積率の差によって、前記第１の背景部と前記第２の背景部は、異なる色又は異なる濃度を有し、前記第１の背景部と前記第２の背景部によって前記潜像模様が形成され、前記基材を傾けて観察すると、前記色の差又は面積率の差によって、前記第１の背景部と前記第２の背景部が異なる色又は濃度で観察され、前記第１の背景部又は前記第２の背景部の一方によって、前記潜像模様の図柄が観察され、他方によって、前記潜像模様の図柄の背景が観察されることを特徴とする潜像模様形成体。
【請求項１４】
前記第１の背景要素、前記第２の背景要素、前記潜像要素、前記第２の要素及び第３の要素の関係は、
６−１）前記第１の背景要素に前記第２の要素が重なり、前記第２の背景要素に、前記第１の背景要素に重なる前記第２の要素の面積率と異なる面積率で前記第２の要素が重なり、前記潜像要素に前記第３の要素が重なり、又は、
６−２）前記第１の背景要素に前記第３の要素が重なり、前記第２の背景要素に前記第２の要素が重なり、前記潜像要素に、第２の背景要素に重なる前記第２の要素の面積率と異なる面積率で前記第２の要素が重なり、又は、
６−３）前記第１の背景要素に前記第２の要素が重なり、前記第２の背景要素に前記第３の要素が重なり、前記潜像要素に、第１の背景要素に重なる前記第２の要素の面積率と異なる面積率で前記第２の要素が重なり、
前記６−１）乃至前記６−３）のいずれかによって、前記第１の背景部、前記第２の背景部及び前記潜像部が形成されることを特徴とする請求項１３記載の潜像模様形成体。
【請求項１５】
前記第２の要素が重なる前記潜像要素、前記第１の背景要素及び前記第２の背景要素の二つの要素のうち、一つの要素に前記第３の要素が重なることを特徴とする請求項１４記載の潜像模様形成体。
【請求項１６】
前記第１の背景部内の潜像要素と、前記第２の背景部内の潜像要素が異なるデザインの画像であることを特徴とする請求項３、４、５、１１、１２、１３、１４又は１５記載の潜像模様形成体。
【請求項１７】
前記第１の要素、前記第２の要素及び前記第３の要素が、画線又は画素の少なくとも一つ、又はその組み合わせから成ることを特徴とする請求項６乃至１６のいずれか１項に記載の潜像模様形成体。
【発明の詳細な説明】
【技術分野】
【０００１】
本発明は、銀行券、株券、有価証券、通行券、パスポート、商品券、カード等の偽造防止が要求される貴重印刷物に適用される、潜像模様形成体である。
【背景技術】
【０００２】
銀行券、株券、有価証券、通行券、パスポート、カード等の貴重印刷物は、その性質上、偽造や改ざんされないことが要求される。その防止策としては、特殊インキによる印刷、ホログラム、スレッド、微小文字印刷等がある。
【０００３】
前述のような防止策として、本出願人は、部分的に角度を異にすることによって図柄を表した各種万線模様又はレリーフ模様のいずれか少なくとも一つの模様を隆起した印刷で印刷画線を施し、該印刷画線上に一定な間隔を持つ各種万線画線又は網点画線のいずれか少なくとも一つを該印刷画線に対して平行又は傾斜を持たせて印刷した潜像模様形成体の発明を提案している（例えば、特許文献１参照）。特許文献１の発明の潜像模様形成体を傾けて観察した場合には、隆起した印刷で形成された各種万線模様又はレリーフ模様において、部分的に角度を異にすることによって表される潜像の図柄（以降、「潜像部」という。）とその背景の部分（以降、「背景部」という。）で、その上に印刷される一定な間隔を持つ各種万線画線又は網点画線の視認性が異なることによって潜像が観察できる。
【０００４】
また、本出願人は、印刷面に微小文字を複数形成し、潜像を施す部分の微小文字は、文字及び文字列の輪郭線を所望の幅の線画のみで構成し、潜像を施さない部分の微小文字は、文字及び文字列の輪郭線内を塗りつぶしで構成し、さらに、潜像を施した部分の微小文字と潜像を施さない部分の微小文字の画線面積率が、同一文字において等しく形成された印刷物を提案している（例えば、特許文献２参照）。
特許文献２の印刷物は、潜像を施した部分の微小文字と潜像を施さない部分の微小文字の画線面積率が等しいため、肉眼で潜像を観察することができないが、複写機により複写したときに、潜像を施さない部分の文字又は文字列は再生可能であるのに対し、潜像を施した部分の文字又は文字列が再生不良となり、潜像を施した部分と潜像を施さない部分で濃度差が生じ、潜像が観察される。また、特許文献２の印刷物は、拡大鏡を用いることによって、微小文字の文言及び形状が真正なものであるかを識別することができる。
【先行技術文献】
【特許文献】
【０００５】
【特許文献１】特許第２６０００９４号公報
【特許文献２】実登３０３０５３４号公報
【発明の開示】
【発明が解決しようとする課題】
【０００６】
しかしながら、特許文献１の発明は、印刷された面を傾けて観察すると潜像が観察されて、真偽判別が可能であるとともに偽造防止を図るものであるが、近年の基材への加工技術及び印刷技術の高度化により、複製される可能性があり、更なる偽造防止を図る必要がある。
【０００７】
また、特許文献２の印刷物は、真正な印刷物であることを確認するために、複写機で複写するか、判別具として拡大鏡を用いる必要があり、印刷物の真偽判別が直ちに要求されるような場面では問題がある。
【０００８】
本発明は、前述した課題を解決することを目的とするものであって、複写機で複写することなく、また、判別具を用いることなく真偽判別が可能であり、従来の潜像模様形成体で観察される潜像に加え、新たな真偽判別を行うことができる要素を設けることによって、より偽造防止効果に優れる潜像模様形成体を提供することを目的とする。
【課題を解決するための手段】
【０００９】
本発明の潜像模様形成体は、傾けて観察したときに潜像模様が観察される潜像模様形成体であって、基材の少なくとも一部に、凹形状及び／又は凸形状の第１の要素が万線状に複数配置されて成る第１の模様及び第１の要素と異なる色の第２の要素が万線状に複数配置されて成る第２の模様が形成され、第１の要素は、第１の潜像要素、第２の潜像要素及び背景要素から成り、第１の潜像要素、第２の潜像要素及び背景要素はすべて位相が異なり、かつ、すべて同じピッチで配置され、第１の潜像要素、第２の潜像要素及び背景要素のうち、少なくとも二つの要素に第２の要素が異なる面積率で重なり、第１の潜像要素に第２の要素が重なる又は重ならないことによって、第１の潜像部が形成され、第２の潜像要素に第２の要素が重なる又は重ならないことによって、第２の潜像部が形成され、背景要素に第２の要素が重なる又は重ならないことによって、第１の潜像部と第２の潜像部に共通する背景部が形成され、第１の潜像要素、第２の潜像要素及び背景要素のうち、少なくとも二つの要素に重なる第２の要素の面積率の差によって、第１の潜像部と第２の潜像部は異なる濃度を有し、複数の第１の潜像部と複数の第２の潜像部によって潜像模様が形成され、基材を傾けて観察すると、面積率の差により、複数の第１の潜像部と複数の第２の潜像部が異なる濃度で観察され、かつ、複数の第１の潜像部又は複数の第２の潜像部の一方によって、潜像模様の図柄が観察され、他方によって、潜像模様の図柄の背景が観察されることを特徴とする。
【００１０】
また、本発明の潜像模様形成体は、第１の潜像要素、第２の潜像要素、背景要素及び第２の要素の関係は、１−１）第１の潜像要素に第２の要素が重なり、第２の潜像要素に第２の要素が重なることなく、背景要素に、第１の潜像要素に重なる第２の要素の面積率と異なる面積率で第２の要素が重なり、又は、１−２）第１の潜像要素に第２の要素が重なり、第２の潜像要素に、第１の潜像要素に重なる第２の要素の面積率と異なる面積率で第２の要素が重なり、背景要素に第２の要素が重なることなく、又は、１−３）第１の潜像要素に第２の要素が重なることなく、第２の潜像要素に第２の要素が重なり、背景要素に、第２の潜像要素に重なる第２の要素の面積率と異なる面積率で第２の要素が重なり、又は、１−４）第１の潜像要素に第２の要素が重なり、第２の潜像要素に、第１の潜像要素に重なる第２の要素の面積率と異なる面積率で第２の要素が重なり、背景要素に、第１の潜像要素に重なる第２の要素の面積率及び第２の潜像要素に重なる第２の要素の面積率と異なる面積率で第２の要素が重なり、１−１）乃至１−４）のいずれかによって、第１の潜像部、第２の潜像部及び背景部が形成されることを特徴とする。
【００１１】
また、本発明の潜像模様形成体は、傾けて観察したときに潜像模様が観察される潜像模様形成体であって、基材の少なくとも一部に、凹形状及び／又は凸形状の第１の要素が万線状に複数配置されて成る第１の模様及び第１の要素と異なる色の第２の要素が万線状に複数配置されて成る第２の模様が形成され、第１の要素は、潜像要素、第一の背景要素及び第二の背景要素から成り、潜像要素、第一の背景要素及び第二の背景要素はすべて位相が異なり、かつ、すべて同じピッチで配置され、潜像要素、第１の背景要素及び第２の背景要素のうち、少なくとも二つの要素に第２の要素が異なる面積率で重なり、第１の背景要素に第２の要素が重なる又は重ならないことによって、第１の背景部が形成され、第２の背景要素に第２の要素が重なる又は重ならないことによって、第２の背景部が形成され、潜像要素に第２の要素が重なる又は重ならないことによって、第１の背景部と第２の背景部に共通する潜像部が形成され、潜像要素、第１の背景要素及び第２の背景要素のうち、少なくとも二つの要素に重なる第２の要素の面積率の差によって、第１の背景部と第２の背景部は異なる濃度を有し第１の背景部と第２の背景部によって潜像模様が形成され、
基材を傾けて観察すると、面積率の差により、第１の背景部と第２の背景部が異なる濃度で観察され、かつ、第１の背景部又は第２の背景部の一方によって、潜像模様の図柄が観察され、他方によって、潜像模様の図柄の背景が観察されることを特徴とする。
【００１２】
また、本発明の潜像模様形成体は、第１の背景要素、第２の背景要素、潜像要素及び第２の要素の関係は、２−１）潜像要素に第２の要素が重なり、第１の背景要素に第２の要素が重なることなく、第２の背景要素に、潜像要素に重なる第２の要素の面積率と異なる面積率で第２の要素が重なり、又は、２−２）潜像要素に第２の要素が重なり、第１の背景要素に、潜像要素に重なる第２の要素の面積率と異なる面積率で第２の要素が重なり、第２の背景要素に第２の要素が重なることなく、又は、２−３）潜像要素に第２の要素が重なることなく、第１の背景要素に第２の要素が重なり、第２の背景要素に、第１の背景要素に重なる第２の要素の面積率と異なる面積率で第２の要素が重なり、又は、２−４）潜像要素に第２の要素が重なり、第１の背景要素に、潜像要素に重なる第２の要素の面積率と異なる面積率で第２の要素が重なり、第２の背景要素に、潜像要素に重なる第２の要素の面積率及び第１の背景要素に重なる第２の要素の面積率と異なる面積率で第２の要素が重なり、２−１）乃至２−４）のいずれかによって、第１の背景部、第２の背景部及び潜像部が形成されることを特徴とする。
【００１３】
また、本発明の潜像模様形成体は、第１の要素及び第２の要素が、画線又は画素の少なくとも一つ、又はその組み合わせから成ることを特徴とする。
【００１４】
また、本発明の潜像模様形成体は、傾けて観察したときに潜像模様が観察される潜像模様形成体であって、基材の少なくとも一部に、凹形状及び／又は凸形状の第１の要素が万線状に複数配置されて成る第１の模様及び第１の要素と異なる色の第２の要素が万線状に複数配置されて成る第２の模様及び第１の要素及び第２の要素と異なる色の第３の要素が万線状に複数配置されて成る第３の模様が形成され、第１の要素は、第１の潜像要素、第２の潜像要素及び背景要素から成り、第１の潜像要素、第２の潜像要素及び背景要素はすべて位相が異なり、かつ、すべて同じピッチで配置され、第１の潜像要素、第２の潜像要素及び背景要素のうち、一つの要素に第２の要素が重なり、第３の要素は、複数配置された第２の要素に重ならず、かつ、第２の要素が重ならない第１の潜像要素、第２の潜像要素及び背景要素のうちの一つに重なり、第１の潜像要素に第２の要素と第３の要素のうちの一方が重なる又は第２の要素と第３の要素が重ならないことによって、第１の潜像部が形成され、第２の潜像要素に第２の要素と第３の要素のうちの一方が重なる又は第２の要素と第３の要素が重ならないことによって、第２の潜像部が形成され、背景要素に第２の要素と第３の要素のうちの一方が重なる又は第２の要素と第３の要素が重ならないことによって、第１の潜像部と第２の潜像部に共通する背景部が形成され、第１の潜像要素、第２の潜像要素及び背景要素のうち、二つに重なる第２の要素と第３の要素の色の差によって、第１の潜像部と第２の潜像部は、異なる色を有し、複数の第１の潜像部と複数の第２の潜像部によって潜像模様が形成され、基材を傾けて観察すると、色の差により、複数の第１の潜像部と複数の第２の潜像部が異なる色で観察され、複数の第１の潜像部又は複数の第２の潜像部の一方によって、潜像模様の図柄が観察され、他方によって、潜像模様の図柄の背景が観察されることを特徴とする。
【００１５】
また、本発明の潜像模様形成体は、第１の潜像要素、第２の潜像要素、背景要素、第２の要素及び第３の要素の関係は、３−１）第１の潜像要素に、第２の要素と第３の要素のうちの一方が重なり、第２の潜像要素に、第２の要素と第３の要素のうち、第１の潜像要素に重ならない残りの要素が重なり、背景要素に第２の要素と第３の要素が重なることなく、又は、３−２）第１の潜像要素に、第２の要素と第３の要素のうちの一方が重なり、第２の潜像要素に第２の要素と第３の要素が重なることなく、背景要素に、第２の要素と第３の要素のうち、第１の潜像要素に重ならない残りの要素が重なり、又は、３−３）第１の潜像要素に第２の要素と第３の要素が重なることなく、第２の潜像要素に、第２の要素と第３の要素のうちの一方が重なり、背景要素に、第２の要素と第３の要素のうち、第２の潜像要素に重ならない残りの要素が重なり、３−１）乃至３−３）のいずれかによって、第１の潜像部、第２の潜像部及び背景部が形成されることを特徴とする。
【００１６】
また、本発明の潜像模様形成体は、傾けて観察したときに潜像模様が観察される潜像模様形成体であって、基材の少なくとも一部に、凹形状及び／又は凸形状の第１の要素が万線状に複数配置されて成る第１の模様及び第１の要素と異なる色の第２の要素が万線状に複数配置されて成る第２の模様及び第１の要素及び第２の要素と異なる色の第３の要素が万線状に複数配置されて成る第３の模様が形成され、第１の要素は、第１の潜像要素、第２の潜像要素及び背景要素から成り、第１の潜像要素、第２の潜像要素及び背景要素はすべて位相が異なり、かつ、すべて同じピッチで配置され、第２の要素は、第１の潜像要素、第２の潜像要素及び背景要素のうち、二つの要素に異なる面積率で重なり、第３の要素は、複数配置された第２の要素に重ならず、かつ、第２の要素が重ならない第１の潜像要素、第２の潜像要素及び背景要素のうちの残りの一つに少なくとも重なり、第１の潜像要素に第２の要素と第３の要素のうちの一方又は両方が重なることによって第１の潜像部が形成され、第２の潜像要素に第２の要素と第３の要素のうちの一方又は両方が重なることによって第２の潜像部が形成され、背景要素に第２の要素と第３の要素のうちの一方又は両方が重なることによって第１の潜像部と第２の潜像部に共通する背景部が形成され、第１の潜像要素、第２の潜像要素に重なる第２の要素と第３の要素の色の差又は第１の潜像要素、第２の潜像要素に重なる第２の要素の面積率の差によって、第１の潜像部と第２の潜像部は、異なる色又は異なる濃度を有し、複数の第１の潜像部と複数の第２の潜像部によって潜像模様が形成され、基材を傾けて観察すると、色の差又は面積率の差によって、複数の第１の潜像部と複数の第２の潜像部が異なる色又は濃度で観察され、複数の第１の潜像部又は複数の第２の潜像部の一方によって、潜像模様の図柄が観察され、他方によって、潜像模様の図柄の背景が観察されることを特徴とする。
【００１７】
また、本発明の潜像模様形成体は、第１の潜像要素、第２の潜像要素、背景要素、第２の要素及び第３の要素の関係は、４−１）第１の潜像要素に第２の要素が重なり、第２の潜像要素に、第１の潜像要素に重なる第２の要素の面積率と異なる面積率で第２の要素が重なり、背景要素に第３の要素が重なり、又は、４−２）第１の潜像要素に第３の要素が重なり、第２の潜像要素に第２の要素が重なり、背景要素に、第２の潜像要素に重なる第２の要素の面積率と異なる面積率で第２の要素が重なり、又は、４−３）第１の潜像要素に第２の要素が重なり、第２の潜像要素に第３の要素が重なり、背景要素に、第１の潜像要素に重なる第２の要素の面積率と異なる面積率で第２の要素が重なり、４−１）乃至４−３）のいずれかによって、第１の背景部、第２の背景部及び潜像部が形成されることを特徴とする。
【００１８】
また、本発明の潜像模様形成体は、第２の要素が重なる第１の潜像要素、第２の潜像要素及び背景要素の二つの要素のうち、一つの要素に第３の要素が重なることを特徴とする。
【００１９】
また、本発明の潜像模様形成体は、傾けて観察したときに潜像模様が観察される潜像模様形成体であって、基材の少なくとも一部に、凹形状及び／又は凸形状の第１の要素が万線状に複数配置されて成る第１の模様及び第１の要素と異なる色の第２の要素が万線状に複数配置されて成る第２の模様及び第１の要素及び第２の要素と異なる色の第３の要素が万線状に複数配置されて成る第３の模様が形成され、第１の要素は、潜像要素、第１の背景要素及び第２の背景要素から成り、潜像要素、第１の背景要素及び第２の背景要素はすべて位相が異なり、かつ、すべて同じピッチで配置され、潜像要素、第１の背景要素及び第２の背景要素のうち、一つの要素に第２の要素が重なり、第３の要素は、複数配置された第２の要素に重ならず、かつ、第２の要素が重ならない潜像要素、第１の背景要素及び第２の背景要素のうちの一つに重なり、第１の背景要素に第２の要素と第３の要素のうちの一方が重なる又は第２の要素と第３の要素が重ならないことによって、第１の背景部が形成され、第２の背景要素に第２の要素と第３の要素のうちの一方が重なる又は第２の要素と第３の要素が重ならないことによって、第２の背景部が形成され、潜像要素に第２の要素と第３の要素のうちの一方が重なる又は第２の要素と第３の要素が重ならないことによって、第１の背景部と第２の背景部に共通する潜像部が形成され、潜像要素、第１の背景要素及び第２の背景要素のうち、二つに重なる第２の要素と第３の要素の色の差によって、第１の背景部と第２の背景部は、異なる色を有し、第１の背景部と第２の背景部によって潜像模様が形成され、基材を傾けて観察すると、色の差により、第１の背景部と第２の背景部が異なる色で観察され、第１の背景部又は第２の背景部の一方によって、潜像模様の図柄が観察され、他方によって、潜像模様の図柄の背景が観察されることを特徴とする。
【００２０】
また、本発明の潜像模様形成体は、第１の背景要素、第２の背景要素、潜像要素、第２の要素及び第３の要素の関係は、５−１）潜像要素に、第２の要素と第３の要素のうちの一方が重なり、第１の背景要素に、第２の要素と第３の要素のうち、潜像要素に重ならない残りの要素が重なり、第２の背景要素に第２の要素と第３の要素が重なることなく、又は、５−２）潜像要素に、第２の要素と第３の要素のうちの一方が重なり、第１の背景要素に第２の要素と第３の要素が重なることなく、第２の背景要素に、第２の要素と第３の要素のうち、潜像要素に重ならない残りの要素が重なり、又は、５−３）潜像要素に第２の要素と第３の要素が重なることなく、第１の背景要素に、第２の要素と第３の要素のうちの一方が重なり、第２の背景要素に、第２の要素と第３の要素のうち、第１の背景要素に重ならない残りの要素が重なり、５−１）乃至５−３）のいずれかによって、第１の背景部、第２の背景部及び潜像部が形成されることを特徴とする。
【００２１】
また、本発明の潜像模様形成体は、傾けて観察したときに潜像模様が観察される潜像模様形成体であって、基材の少なくとも一部に、凹形状及び／又は凸形状の第１の要素が万線状に複数配置されて成る第１の模様及び第１の要素と異なる色の第２の要素が万線状に複数配置されて成る第２の模様及び第１の要素及び第２の要素と異なる色の第３の要素が万線状に複数配置されて成る第３の模様が形成され、第１の要素は、潜像要素、第１の背景要素及び第２の背景要素から成り、潜像要素、第１の背景要素及び第２の背景要素はすべて位相が異なり、かつ、すべて同じピッチで配置され、第２の要素は、潜像要素、第１の背景要素及び第２の背景要素のうち、二つの要素に異なる面積率で重なり、第３の要素は、複数配置された第２の要素に重ならず、かつ、第２の要素が重ならない潜像要素、第１の背景要素及び第２の背景要素のうちの残りの一つに少なくとも重なり、第１の背景要素に第２の要素と第３の要素のうちの一方又は両方が重なることによって第１の背景部が形成され、第２の背景要素に第２の要素と第３の要素のうちの一方又は両方が重なることによって第２の背景部が形成され、潜像要素に第２の要素と第３の要素のうちの一方又は両方が重なることによって第１の背景部と第２の背景部に共通する潜像部が形成され、第１の背景要素、第２の背景要素に重なる第２の要素と第３の要素の色の差又は第１の背景要素、第２の背景要素に重なる第２の要素の面積率の差によって、第１の背景部と第２の背景部は、異なる色又は異なる濃度を有し、第１の背景部と第２の背景部によって潜像模様が形成され、基材を傾けて観察すると、色の差又は面積率の差によって、第１の背景部と第２の背景部が異なる色又は濃度で観察され、第１の背景部又は第２の背景部の一方によって、潜像模様の図柄が観察され、他方によって、潜像模様の図柄の背景が観察されることを特徴とする。
【００２２】
また、本発明の潜像模様形成体は、第１の背景要素、第２の背景要素、潜像要素、第２の要素及び第３の要素の関係は、６−１）第１の背景要素に第２の要素が重なり、第２の背景要素に、第１の背景要素に重なる第２の要素の面積率と異なる面積率で第２の要素が重なり、潜像要素に第３の要素が重なり、又は、６−２）第１の背景要素に第３の要素が重なり、第２の背景要素に第２の要素が重なり、潜像要素に、第２の背景要素に重なる第２の要素の面積率と異なる面積率で第２の要素が重なり、又は、６−３）第１の背景要素に第２の要素が重なり、第２の背景要素に第３の要素が重なり、潜像要素に、第１の背景要素に重なる第２の要素の面積率と異なる面積率で第２の要素が重なり、６−１）乃至６−３）のいずれかによって、第１の背景部、第２の背景部及び潜像部が形成されることを特徴とする。
【００２３】
また、本発明の潜像模様形成体は、第２の要素が重なる潜像要素、第１の背景要素及び第２の背景要素の二つの要素のうち、一つの要素に第３の要素が重なることを特徴とする。
【００２４】
また、本発明の潜像模様形成体は、第１の背景部内の潜像要素と、第２の背景部内の潜像要素が異なるデザインの画像であることを特徴とする。
【００２５】
また、本発明の潜像模様形成体は、第１の要素、第２の要素及び第３の要素が、画線又は画素の少なくとも一つ、又はその組み合わせから成ることを特徴とする。
【発明の効果】
【００２６】
本発明の潜像模様形成体は、傾けて観察すると、従来、潜像が一つのみ視認可能であった技術に加え、視認性の異なる潜像の配置によって構成される潜像画像を新たに設け、これを真偽判別に用いることで、より貴重印刷物の偽造防止を図ることができる。
【図面の簡単な説明】
【００２７】
【図１】潜像模様形成体を構成する第１の模様と第２の模様が観察される潜像模様を示す図である。
【図２】第１の模様と第２の模様が形成される領域の拡大図である。
【図３】第１の模様を示す図である。
【図４】凸形状から成る第１の要素の断面図である。
【図５】凹形状から成る第１の要素の断面図である。
【図６】凸形状と凹形状から成る第１の要素の断面図である。
【図７】画線で構成される第１の要素の例を示す図である。
【図８】画素で構成される第１の要素、第２の要素及び第３の要素を示す図である。
【図９】第１の要素を構成する画線と画素の組み合わせの例を示す図である。
【図１０】潜像模様の図柄が観察される部分に対する第１の模様の構成を示す図である。
【図１１】潜像模様の図柄の背景が観察される部分に対する第１の模様の構成を示す図である。
【図１２】潜像模様に対する第１の潜像部と第２の潜像部の配置を模式的に示す図である。
【図１３】潜像模様の図柄と背景が観察される境界部分に対する第１の模様の構成を示す図である。
【図１４】第１の潜像要素、第２の潜像要素及び背景要素の配置の例を示す図である。
【図１５】第１の潜像要素、第２の潜像要素及び背景要素の配置の例を示す図である。
【図１６】各要素を繋げて第１の模様を形成した例を示す図である。
【図１７】第２の模様を示す図である。
【図１８】凸形状で形成される第１の要素の観察部と非観察部を示す図である。
【図１９】凸形状で形成される第１の要素の観察部と非観察部を示す図である。
【図２０】第１の要素と第２の要素の配置の例を示す図である。
【図２１】凹形状で形成される第１の要素の観察部と非観察部を示す図である。
【図２２】凹形状で形成される第１の要素の観察部と非観察部を示す図である。
【図２３】凹形状と凸形状の組み合わせで形成される第１の要素の観察部と非観察部を示す図である。
【図２４】第１の配置と斜めから観察したときに観察される潜像を示す図である。
【図２５】第２の配置と斜めから観察したときに観察される潜像を示す図である。
【図２６】第３の配置と斜めから観察したときに観察される潜像を示す図である。
【図２７】第４の配置と斜めから観察したときに観察される潜像を示す図である。
【図２８】第１のピッチの範囲を説明するための図である。
【図２９】第１のピッチの範囲を説明するための図である。
【図３０】第３の模様を示す図である。
【図３１】第３の要素が第２の要素に重ならず、第１の模様に重なる状態を示す図である。
【図３２】第５の配置と斜めから観察したときに観察される潜像を示す図である。
【図３３】第６の配置と斜めから観察したときに観察される潜像を示す図である。
【図３４】第２の要素と第３の要素が背景要素に重なる第６の配置の例を示す図である。
【図３５】背景部の濃度又は色が異なって観察される潜像を示す図である。
【図３６】背景部の濃度又は色が異なって観察される潜像模様を示す図である。
【図３７】潜像模様の図柄と背景が観察される境界部分に対する第１の模様の構成を示す図である。
【図３８】実施例３の潜像模様形成体における、第１の要素、第２の要素及び第３の要素の配置と、斜めから観察したときに観察される潜像を示す図である。
【図３９】実施例４の潜像模様形成体における、第１の要素、第２の要素及び第３の要素の配置と、斜めから観察したときに観察される潜像を示す図である。
【発明を実施するための形態】
【００２８】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２９】
本発明の潜像模様形成体（１）は、図１（ａ）に示すように、基材（２）の少なくとも一部に凹形状又は凸形状の第１の要素（１１）が複数配置されて第１の模様（１０）が形成され、第１の要素（１１）と異なる色の第２の要素（２１）が複数配置されて第２の模様（２０）が形成されて成る。そして、潜像模様形成体（１）の第１の模様（１０）と第２の模様（２０）が形成された領域を真上から観察した場合には、図１（ｂ）に示す第２の模様（２０）が観察される。また、潜像模様形成体（１）の第１の模様（１０）と第２の模様（２０）が形成された領域を斜めから観察した場合には、図１（ｃ）に示す潜像模様（５）が観察される。なお、潜像模様形成体（１）を斜めから観察するときの状態については、後述する。図１（ｄ）は、図１（ｃ）に示す潜像模様（５）の図柄を模式的に示す図であり、本実施の形態の潜像模様（５）は、「Ａ」の文字とその背景で構成される。図１（ｅ）は、図１（ｄ）に示す潜像模様（５）の「Ａ」の文字が観察される部分のうち、太線枠で囲む部分を拡大した図であり、この部分では、複数の第１の潜像部（３）が観察され、本実施の形態では、「ＮＰＢ」の文字が観察される。また、図１（ｆ）は、図１（ｄ）に示す潜像模様（５）の「Ａ」の文字の背景が観察される部分のうち、破線枠で囲む部分を拡大した図であり、この部分では、複数の第２の潜像部（４）が観察され、本実施の形態では、「ＪＰＮ」の文字が観察される。図１（ａ）に示す潜像模様形成体（１）は、斜めから観察したときに視認される、第１の潜像部（３）と第２の潜像部（４）の濃度が異なり、第１の潜像部（３）が「Ａ」の文字を形成するように配置され、第１の潜像部（３）に対して濃度の異なる第２の潜像部（４）が「Ａ」の文字の背景を形成するように配置されて、図１（ｃ）に示す潜像模様（５）が観察される構成となっている。  
【００３０】
本実施の形態は、潜像模様（５）が「Ａ」の文字で構成される例であるが、本発明において潜像模様（５）の図柄は、「Ａ」の文字に限定されるものではなく、数字、記号、図形、マークでもよい。また、本実施の形態は、第１の潜像部（３）の図柄が、「ＮＰＢ」の文字で構成される例であるが、第１の潜像部（４）の図柄は、「ＮＰＢ」の文字に限定されず、数字、記号、図形、マークでもよい。第２の潜像部（４）の図柄についても、これと同様である。
【００３１】
図２は、図１に示す第１の模様（１０）と第２の模様（２０）が形成される領域を拡大した図である。以降は、本発明の潜像模様形成体（１）において、図２に示す第１の模様（１０）と第２の模様（２０）が形成される領域の詳細な構成について説明する。
【００３２】
（第１の模様）
第１の模様（１０）は、図３に示すように、基材（２）に、基材（２）と同じ色又は基材（２）と異なる色の凹形状、あるいは、基材（２）と同じ色又は基材（２）と異なる色の凸形状の第１の要素（１１）が万線状に複数配置されて成る。なお、第１の模様（１０）を構成する第１の要素（１１）は、前述した凹形状と凸形状を組み合わせて成る構成としても良い。図３では、第１の要素（１１）が万線状に複数配置されることを示すために第１の要素（１１）を黒色の画線で示しているが、第１の要素（１１）が、基材（２）と同じ色で形成される場合、目視で視認することはできない。本発明で用いる基材（２）は、有色で不透明なものを用いる必要があり、仮に、基材（２）の一方の面に有色の模様を印刷し、それを基材（２）の他方の面から反射光で観察したときに、一方の面に形成した模様が観察できないか、目立たない程度の不透明性を要する。そのような基材（２）であれば特に限定されるものではなく、紙、フィルム、プラスチック又はそれらの複合素材等を用いることができる。
【００３３】
図４、図５及び図６は、図３に示すＸ−Ｘ線における第１の要素（１１）の断面図である。図４（ａ）〜（ｃ）は、第１の要素（１１）が凸形状で形成される例を示している。図５（ａ）〜（ｃ）は、第１の要素（１１）が凹形状で形成される例を示している。図６は、第１の要素（１１）が凹形状と凸形状を組み合わせて成る構成の例を示している。凸形状を形成する方法の例としては、基材（２）にインキによる印刷で形成することができ、この場合、第１の要素（１１）は、基材と同じ色又は異なる色のインキで形成される。また、凹形状を形成する方法の例としては、基材（２）の一部をレーザ加工によって除去することによって形成することができ、この場合、第１の要素（１１）は、基材（２）と同じ色で形成される。なお、凸形状と凹形状の形成方法は後述する。
【００３４】
凸形状と凹形状の構成は、図４、図５及び図６に示す形状に限定されるものではなく、真上から観察したときに、凸形状又は凹形状の表面の略全面が観察でき、斜めから観察したときに、凸形状の場合、手前側となる表面が観察でき、奥側となる表面が観察できない形状であればよく、凹形状の場合、奥側となる表面が観察でき、手前側となる表面が観察できない形状であればよい。なお、斜めから観察したときの凸形状又は凹形状の表面の見え方については、後述する。
【００３５】
また、第１の要素（１１）は、画線で構成される。本発明において、「画線」とは、直線、破線、波線のことであり、直線で構成される第１の要素（１１）が複数配置された例を図７（ａ）に示す。破線による画線で構成される第１の要素（１１）が複数配置された例を図７（ｂ）に示す。波線による画線で構成される第１の要素（１１）が複数配置された例を図７（ｃ）に示す。画線内に図柄が付与された画線で構成される第１の要素（１１）が複数配置された例を図７（ｄ）に示す。
【００３６】
図７に示す画線の幅（Ｗ１）は、限定されるものではないが、２０μｍ〜１０００μｍの範囲で形成されるのが好ましい。なお、画線の幅（Ｗ１）を１０００μｍより大きくしても潜像を観察することができるが、潜像の図柄を形成するための第１の模様（１０）が大きくなり、貴重印刷物を構成するデザイン、例えば、他の印刷図柄等の制約を受けるために、好ましくない。また、画線の幅（Ｗ１）を２０μｍ以下で形成した場合、後述する第１の要素（１１）と第２の要素（２１）の配置に高い位置合わせ精度が必要とされ、作製が困難になるため好ましくない。
【００３７】
図７に示す第１のピッチ（Ｐ１）については、後述する。
【００３８】
図４に示す第１の要素の高さ（ｈ）及び図５に示す第１の要素の深さ（ｈ’）は、１０μｍ〜１００μｍの範囲で形成される。なお、第１の要素の高さ（ｈ）を１０μｍより小さくしても潜像を観察することはできるが、潜像の観察できる視点の範囲が狭くなってしまうために、好ましくない。また、第１の要素の深さ（ｈ’）を１００μｍより大きくすることも可能であるが、基材（２）の厚さが限定されるとともに、加工効率が悪くなるという問題が生じるため、好ましくない。
【００３９】
図７に示す第１の要素（１１）は、画線で構成される例を示しているが、本発明において第１の要素（１１）は、図７に示す画線と同様に観察される範囲であれば、図８に示すように、第１の要素（１１）を画素で構成することもできる。続いて、画素で構成される第１の要素（１１）について説明する。
【００４０】
本発明において、「画素」とは、所定の形状を有する文字、数字、記号、図形、マークのことであり、画素の形状は、特に限定されるものではない。
【００４１】
文字による画素で構成される第１の要素（１１）が複数配置された例を図８（ａ）に示す。数字による画素で構成される第１の要素（１１）が複数配置された例を図８（ｂ）に示す。記号による画素で構成される第１の要素（１１）が複数配置された例を図８（ｃ）に示す。図形による画素で構成される第１の要素（１１）が複数配置された例を図８（ｄ）に示す。
【００４２】
図８に示す画素の高さ（Ｗ’１）の範囲は、第１の要素（１１）が、画線で構成される場合の画線の幅（Ｗ１）と同じで２０〜１０００μｍである。この理由は、第１の要素（１１）が画線で構成される場合と同じである。
【００４３】
図８に示す第１のピッチ（Ｐ１）については、第１の要素（１１）が画線で構成される場合と同じであり、後述する。
【００４４】
図８に示す画素の幅（Ｘ１）は、２０μｍより大きく形成するのが好ましい。画素の幅（Ｘ１）を２０μｍ以下で形成する場合、第１の要素（１１）と第２の要素（２１）の配置に高い位置合わせ精度が必要とされ、作製が困難になるため好ましくない。
【００４５】
なお、画素の幅（Ｘ１）の上限については、画素で構成される第１の要素（１１）が画線として観察される範囲であれば特に限定されるものではなく、画素の種類に応じて、画素の幅（Ｘ１）を適宜調整すればよい。ただし、画素同士が重なると、第１の要素（１１）の視認性が異なるため、図７に示す画素のピッチ（ｐ１）を少なくとも画素の幅（Ｘ１）より大きくし、画素同士が重ならないように形成する必要がある。
【００４６】
また、画素のピッチ（ｐ１）が大きいと、隣の画素同士で間隔が空いてしまい、画線として観察されないので、画素のピッチ（ｐ１）と画素の幅（Ｘ１）の差を、５００μｍより小さくするのが好ましい。
【００４７】
以上のように説明した画線の構成と、画素の構成を複合させて、図９（ａ）に示すように、一つの第１の要素（１１）を構成してもよい。また、図９（ｂ）に示すように、複数配置された第１の要素（１１）ごとに、画線、画素又はそれらの複合の構成としてもよい。
【００４８】
以降の説明では、第１の要素（１１）が直線の画線で構成される例で説明する。
【００４９】
以上のように説明した第１の要素（１１）が万線状に複数配置されて成る第１の模様（１０）は、潜像模様（５）の「Ａ」の文字が観察される部分と「Ａ」の文字の背景が観察される部分で構成が異なる。以下、その構成について順に説明する。
【００５０】
はじめに、潜像模様（５）の「Ａ」の文字が観察される部分の第１の模様（１０）の構成について説明する。図１０（ａ）は、潜像模様（５）と第１の模様（１０）の配置を示す模式図である。図１０（ｂ）は、図１０（ａ）に示す潜像模様（５）の「Ａ」の文字が観察される部分のうち、太線枠で囲む部分に対する第１の模様（１０）を拡大した図である。これまで、第１の模様（１０）は、図１０（ａ）に示すように、第１の要素（１１）が万線状に複数配置されて成ることを説明してきたが、潜像模様（５）のうち、「Ａ」の文字が観察される部分に対する第１の模様（１０）の詳細は、図１０（ｂ）の拡大図に示すように、二つの異なる位相に配置された第１の要素（１１）によって構成される。また、潜像模様（５）のうち、「Ａ」の文字が観察される部分を拡大すると、「ＮＰＢ」の文字の第１の潜像部（３）が観察されることを前述したが、図１０（ｃ）に示すように、「Ａ」の文字が観察される部分において、二つの異なる位相に配置された第１の要素（１１）の一方が、第１の潜像部（３）の「ＮＰＢ」の文字に対応し、他方が「ＮＰＢ」の文字の背景に対応する構成となっている。
【００５１】
以降、第１の潜像部（３）の図柄（本実施の形態では「ＮＰＢ」の文字）に対応する第１の要素（１１）を第１の潜像要素（１１Ａ）と呼び、第１の潜像部（３）の図柄の背景に対応する第１の要素（１１）を背景要素（１１Ｃ）と呼ぶ。第１の潜像部（３）の図柄は、図１０（ｃ）に示すように、複数の第１の潜像要素（１１Ａ）によって形成される。
【００５２】
続いて、潜像模様（５）の「Ａ」の文字の背景が観察される部分の第１の模様（１０）の構成について説明する。
【００５３】
図１１（ａ）は、潜像模様（５）と第１の模様（１０）の配置を示す模式図である。図１１（ｂ）は、図１１（ａ）に示す潜像模様（５）の「Ａ」の文字の背景が観察される部分のうち、太線枠で囲む部分に対する第１の模様（１０）を拡大した図である。本発明において、潜像模様（５）のうち、「Ａ」の文字の背景が観察される部分に対する第１の模様（１０）の詳細は、図１１（ｂ）の拡大図に示すように、二つの異なる位相に配置された第１の要素（１１）によって構成される。また、潜像模様（５）のうち、「Ａ」の文字の背景が観察される部分を拡大すると、「ＪＰＮ」の文字の第２の潜像部（４）が観察されることを前述したが、図１１（ｃ）に示すように、「Ａ」の文字の背景が観察される部分において、二つの異なる位相に配置された第１の要素（１１）の一方が、第２の潜像部（４）の「ＪＰＮ」の文字に対応し、他方が「ＪＰＮ」の背景に対応する構成となっている。
【００５４】
以降、第２の潜像部（４）の図柄（本実施の形態では「ＪＰＮ」の文字）に対応する第１の要素（１１）を第２の潜像要素（１１Ｂ）と呼び、第２の潜像部（４）の図柄の背景に対応する第１の要素（１１）を背景要素（１１Ｃ）と呼ぶ。第２の潜像部（４）の図柄は、図１１（ｃ）に示すように複数の第２の潜像要素（１１Ｂ）によって形成される。
【００５５】
以上説明したように、本実施の形態において第１の模様（１０）は、図１２に示すように、潜像模様（５）の「Ａ」の文字に対して、第１の潜像部（３）（本実施の形態では「ＮＰＢ」の文字）の図柄が複数配置され、「Ａ」の文字の背景に対して、第２の潜像部（４）（本実施の形態では「ＪＰＮ」の文字）の図柄が複数配置される構成となっている。なお、図１２は、第１の模様（１０）に対する第１の潜像部（３）の図柄と第２の潜像部（４）の図柄の配置の関係を模式的に示す図であり、実際には、第１の潜像部（３）の図柄は、第１の潜像要素（１１Ａ）によって形成され、第２の潜像部（４）の図柄は、第２の潜像要素（１１Ｂ）によって形成される。
【００５６】
次に、以上説明した、第１の潜像要素（１１Ａ）、第１の潜像部（３）の図柄に対応する背景要素（１１Ｃ）、第２の潜像要素（１１Ｂ）及び第２の潜像部（４）の図柄に対応する背景要素（１１Ｃ）の関係について説明する。
【００５７】
図１３（ａ）は、潜像模様（５）と第１の模様（１０）の配置を示す模式図であり、図１３（ｂ）は、図１３（ａ）に示す太線枠の位置の潜像模様（５）に対する第１の模様（１０）を拡大した図である。なお、図１３（ａ）に示す太線枠の位置は、潜像模様（５）のうち、「Ａ」の文字が観察される部分（「ＮＰＢ」の文字で構成される第１の潜像部（３））と、「Ａ」の文字の背景が観察される部分（「ＪＰＮ」の文字で構成される第２の潜像部（４））の境界の位置である。また、図１３（ｂ）に示す一点鎖線は、「Ａ」の文字が観察される部分と「Ａ」の文字の背景が観察される部分の境界を示すためのものであり、一点鎖線の左側に配置される第１の潜像要素（１１Ａ）は、潜像模様（５）の「Ａ」の文字（「ＮＰＢ」の文字で構成される第１の潜像部（３））に対応し、一点鎖線の右側に配置される第２の潜像要素（１１Ｂ）は、潜像模様（５）の「Ａ」の文字の背景（「ＪＰＮ」の文字で構成される第２の潜像部（４））に対応している。
【００５８】
本発明において、第１の潜像部（３）の図柄に対応する背景要素（１１Ｃ）と第２の潜像部（４）の図柄に対応する背景要素（１１Ｃ）は、図１３（ｂ）に示すように、同じ位相に配置される。また、第１の潜像要素（１１Ａ）の位相と、第２の潜像要素（１１Ｂ）の位相が異なり、第１の潜像要素（１１Ａ）、第２の潜像要素（１１Ｂ）及び背景要素（１１Ｃ）は、互いに異なる位相に配置される。このように、本発明において、第１の模様（１０）は、三つの異なる位相に配置される第１の潜像要素（１１Ａ）、第２の潜像要素（１１Ｂ）及び背景要素（１１Ｃ）から構成される。
【００５９】
以上説明したように、本発明において、第１の潜像部（３）の図柄に対する背景と第２の潜像部（４）の図柄に対する背景には、第１の潜像要素（１１Ａ）と第２の潜像要素（１１Ｂ）に共通する背景要素（１１Ｃ）が対応して配置され、以降、第１の潜像部（３）及び第２の潜像部（４）に対して、背景要素（１１Ｃ）によって表現される、潜像の図柄の背景と成る部分を「背景部（６）」として説明する。第１の模様（１０）において、第１の潜像部（３）と第２の潜像部（４）の図柄に対する背景は、複数の背景要素（１１Ｃ）によって形成される。
【００６０】
第１の潜像要素（１１Ａ）、第２の潜像要素（１１Ｂ）及び背景要素（１１Ｃ）は、異なる位相に配置されるが、図１３（ｂ）に示す点線で囲まれた各要素は、すべてが対応して配置される構成となっている。なお、各要素が対応して配置されるとは、仮に、図１３（ｂ）において、背景要素（１１Ｃ）を基準に第１の潜像要素（１１Ａ）と第２の潜像要素（１１Ｂ）の位相が異なる場合に、第１の潜像要素（１１Ａ）と第２の潜像要素（１１Ｂ）は、基準となる背景要素（１１Ｃ）に隣り合う背景要素（１１Ｃ）の位相を越えて配置されないということである。また、第１の潜像要素（１１Ａ）、第２の潜像要素（１１Ｂ）及び背景要素（１１Ｃ）は、異なる位相に配置され、かつ、隣り合う同じ要素同士において、同じピッチで配置される。
【００６１】
次に、第１の潜像要素（１１Ａ）、第２の潜像要素（１１Ｂ）及び背景要素（１１Ｃ）が異なる位相に配置される例について説明する。
【００６２】
図１４は、第１の潜像要素（１１Ａ）、第２の潜像要素（１１Ｂ）及び背景要素（１１Ｃ）の配置の関係を示すための模式図である。
【００６３】
図１３（ｂ）は、第１の潜像要素（１１Ａ）と第２の潜像要素（１１Ｂ）が背景要素（１１Ｃ）に対して上側に位相が異なって配置される例であるが、第１の潜像要素（１１Ａ）、第２の潜像要素（１１Ｂ）及び背景要素（１１Ｃ）は、図１３（ｂ）に示す配置に限定されず、図１４（ａ）に示すように、第１の潜像要素（１１Ａ）と第２の潜像要素（１１Ｂ）が背景要素（１１Ｃ）に対して下側に位相が異なってもよい。また、第１の潜像要素（１１Ａ）と第２の潜像要素（１１Ｂ）のうち、一方の位相が背景要素（１１Ｃ）に対して上側に異なり、他方の位相が背景要素（１１Ｃ）に対して下側に異なってもよい。図１４（ｂ）は、その一例として、第１の潜像要素（１１Ａ）を背景要素（１１Ｃ）に対して上側に位相を異ならせ、第２の潜像要素（１１Ｂ）を背景要素（１１Ｃ）に対して下側に位相を異ならせた例を示している。
【００６４】
また、図１３（ｂ）に示す配置に対して、図１５（ａ）に示すように、第１の潜像要素（１１Ａ）が第２の潜像要素（１１Ｂ）より上側の位相に配置されてもよいし、図１４（ａ）に示す配置に対して、図１５（ｂ）に示すように、第１の潜像要素（１１Ａ）が第２の潜像要素（１１Ｂ）より下側の位相に配置されてもよい。第１の潜像要素（１１Ａ）、第２の潜像要素（１１Ｂ）及び背景要素（１１Ｃ）は、以上に説明したいずれかの配置で、すべての位相が異なる。
【００６５】
また、これまで説明してきた第１の潜像要素（１１Ａ）、背景要素（１１Ｃ）及び第２の潜像要素（１１Ｂ）は、図１６に示すように、繋がっていてもよい。第１の潜像要素（１１Ａ）、背景要素（１１Ｃ）及び第２の潜像要素（１１Ｂ）を繋ぐための画線の角度は、第１の潜像要素（１１Ａ）、背景要素（１１Ｃ）及び第２の潜像要素（１１Ｂ）に対して９０°に限定されるものでない。繋ぐための画線の角度は、３０°〜９０°が好ましい。ただし、繋ぐための角度が小さいと潜像の視認性に影響するため、第１の潜像部（３）の図柄及び第２の潜像部（４）の図柄と第１のピッチ（Ｐ１）に応じて適宜調整する必要がある。
【００６６】
（第１の要素の加工方法）
凹形状又は凸形状の第１の要素（１１）の形成方法としては、エンボス加工、すき入れ、レーザ加工やインキによる印刷等を用いることができる。エンボス加工を用いる場合は、凸形状の版面を基材（２）に押し付けることによって、凹形状で基材（２）と同じ色の第１の要素（１１）が形成される。すき入れを用いる場合は、円網抄紙機で紙を製造する工程の段階で、円網ロールの押し付けによって、凹形状で基材（２）と同じ色の第１の要素（１１）が形成される。レーザ加工を用いる場合は、レーザ光によって基材（２）の一部が除去されることによって凹形状の第１の要素（１１）が形成される。このとき、レーザの出力を大きくすると基材（２）が焦げて変色し、凹形状の第１の要素（１１）が、基材（２）と異なる色で形成される。また、一度に基材（２）が除去される基材（２）の量は小さくなるが、基材（２）を焦がさないようにレーザの出力を小さくした場合は、凹形状の第１の要素（１１）が、基材（２）と同じ色で形成される。インキによる印刷を用いる場合は、インキの厚みによって凸形状の第１の要素（１１）が形成される。なお、すき入れ、レーザ加工、インキによって第１の要素（１１）を形成する場合は、第２の要素（２１）を形成する前に、第１の要素（１１）を形成する必要がある。これは、第２の要素（２１）を形成した後に、すき入れ、レーザ加工を施すと、第２の要素（２１）が基材（２）から除去されてしまうからである。また、第２の要素（２１）を形成した後に、インキによって凸形状の第１の要素（１１）を形成すると、第２の要素（２１）が隠蔽されて潜像が観察できなくなるからである。
【００６７】
（第２の模様）
第２の模様（２０）は、図１７に示すように、基材（２）に、第１の要素（１１）と異なる色で有色の第２の要素（２１）が万線状に複数配置されて成る。第１の要素（１１）が基材（２）と同じ色で形成される場合、第２の要素（１１）の色は、基材（２）の色とも異なる必要があり、第１の要素（１１）が基材（２）と異なる色で形成される場合、第２の要素（２１）の色は、基材（２）と同じ色であってもよい。第２の要素（２１）を形成する例としてはインキを用いて印刷する方法があり、第２の要素（２１）の形成方法の詳細については後述する。
【００６８】
第２の要素（２１）は、図７に示す第１の要素（１１）と同様に画線で構成、図８に示す第１の要素（１１）と同様に画素で構成又は図９に示す画線と画素の複合の構成のいずれでもよい。なお、第２の要素（２１）の画線に対しては、第２のピッチ（Ｐ２）、画線の幅（Ｗ２）として説明し、第２の要素（２１）の画素に対しては、画素の高さ（Ｗ’２）、画素の幅（Ｘ２）、画素のピッチ（ｐ２）として説明する。
【００６９】
第２のピッチ（Ｐ２）、画線の幅（Ｗ２）及び画素の高さ（Ｗ’２）の範囲については、第１の要素（１１）と第２の要素（２１）の配置及び観察される潜像（潜像が一定の濃度で観察されるか、モアレとなって観察されるか）によるので、以降に説明する潜像の観察原理で後述する。なお、画素の高さ（Ｗ’２）の範囲は、画線の幅（Ｗ２）の範囲と同じであるため、以降に説明する潜像の観察原理では、画素の高さ（Ｗ’２）の範囲の説明を省略する。ここでは、画素の幅（Ｘ２）及び画素のピッチ（ｐ２）の範囲について説明する。
【００７０】
図８に示す画素の幅（Ｘ２）は、２０μｍより大きく形成するのが好ましい。画素の幅（Ｘ２）を２０μｍ以下で形成する場合、第１の要素（１１）と第２の要素（２１）の配置に高い位置合わせ精度が必要とされ、作製が困難になるため好ましくない。
【００７１】
なお、画素の幅（Ｘ２）の上限については、画素で構成される第２の要素（２１）が画線として観察される範囲であれば特に限定されるものではなく、画素の種類に応じて、画素の幅（Ｘ２）を適宜調整すればよい。ただし、画素同士が重なると、第２の要素（２１）の視認性が異なるため、図８に示す画素のピッチ（ｐ２）を少なくとも画素の幅（Ｘ２）より大きくし、画素同士が重ならないように形成する必要がある。
【００７２】
また、画素のピッチ（ｐ２）が大きいと、隣の画素同士で間隔が空いてしまい、画線として観察されないので、画素のピッチ（ｐ２）と画素の幅（Ｘ２）の差を、５００μｍより小さくするのが好ましい。
【００７３】
以降の説明では、第２の要素（２１）が直線の画線で構成される例で説明する。
【００７４】
第２の模様（２０）の形成方法は、オフセット印刷、グラビア印刷、インクジェット印刷等の公知の印刷方法又はレーザ加工等を用いることができる。なお、印刷によって第２の模様（２０）が形成される場合は、第２の要素（２１）は、インキから成り、レーザ加工によって第２の模様（２０）が形成される場合は、第２の要素（２１）は、基材（２）がレーザによって変色されて成る。この場合、基材（２）に形成された第１の要素（１１）の形状を崩さないようにレーザの出力を調整して加工する必要がある。
【００７５】
（第１の模様と第２の模様の配置）
以降、第１の模様（１０）と第２の模様（２０）の配置と観察される潜像について説明するが、まず、本発明の潜像の観察原理について説明する。
【００７６】
まず、図１８〜図２０を用いて、凸形状の第１の要素（１１）と第２の要素（２１）が形成された基材（２）を観察したときに視認される状況について説明する。
【００７７】
図１８（ａ）は、図４（ａ）に示す半円の凸形状の第１の要素（１１）と第２の要素（２１）が重なって配置されている状態の一例を示す平面図であり、その一部を拡大したものである。なお、Ｚ−Ｚ線は、凸形状の頂点の位置を示しており、本発明において、「凸形状の頂点」とは、凸形状で形成される第１の要素（１１）のうち、最も高い部分のことである。
【００７８】
図１８（ａ）に示す配置では、第２の要素（２１）が、凸形状の頂点を境として、凸形状の表面の半分に重なる状態を示している。
【００７９】
図１８（ｂ）は、図１８（ａ）に示すＸ−Ｘ線における断面図を示す図である。図１８（ｂ）において、観察点（Ｌ１）は、基材（２）の真上から観察した場合の視点の位置を示しており、観察点（Ｌ２）は、基材（２）に対して、Ｘ−Ｘ軸上の斜めから観察した場合の視点の位置を示している。以降の説明では、観察点（Ｌ２）の位置から観察する状態を「斜めから観察する」と記載する。また、図１８（ｂ）では、図１８（ａ）のＺ−Ｚ線で示す凸形状の頂点を符号（Ｑ）として図示している。そして、図１８（ｂ）においても、第２の要素（２１）が凸形状の第１の要素（１１）の半分に重なっている状態を示している。
【００８０】
このとき、観察点（Ｌ１）のように、基材（２）の真上から観察した場合、第２の要素（２１）を視認することができ、第２の要素（２１）の色を観察することができる。  
【００８１】
一方、観察点（Ｌ２）のように、基材（２）を斜めから観察した場合には、凸形状の頂点（Ｑ）を境として、手前側となる凸形状の表面（Ｖ１）は観察することができるが、奥側の表面（Ｖ２）は凸形状の死角となることから観察することができない。したがって、斜めから観察した場合には、凸形状の頂点（Ｑ）を境として、手前側となる凸形状の表面（Ｖ１）に重なる第２の要素（２１）のみを観察することができる。なお、斜めから観察するときに、凸形状の表面（Ｖ１）の観察できる範囲は、第１のピッチ（Ｐ１）及び画線の幅（Ｗ１）によって、若干の差はある。
【００８２】
また、凸形状の第１の要素（１１）が形成されない基材（２）の平らな部分（Ｖ３）は、凸形状の死角となって基本的に観察することができないが、特に、凸形状の頂点（Ｑ）を境として、手前側となる凸形状の表面（Ｖ１）に近い側の部分（Ｖ３’）は、第１の要素（１１）の形状や第１のピッチ（Ｐ１）及び画線の幅（Ｗ１）によって、観察されることもある。
【００８３】
以上説明したように、斜めから観察するときに凸形状の第１の要素（１１）及び基材（２）の観察可能な表面の範囲は、第１のピッチ（Ｐ１）及び画線の幅（Ｗ１）によって、若干の差はあるが、以降の説明では、凸形状の頂点（Ｑ）を境として、手前側となる凸形状の表面（Ｖ１）のみが観察されるものとし、基材（２）を斜めから観察したときに、凸形状の頂点（Ｑ）を境として、手前側となる凸形状の表面（Ｖ１）のことを「観察部（Ｖ）」、基材（２）を斜めから観察したときに、凸形状の頂点（Ｑ）を境として、奥側となる凸形状の表面（Ｖ２）及び基材（２）の平らな部分（Ｖ３）のことを「非観察部（Ｖ’）」として説明する。なお、図１８（ｂ）は、図１８（ａ）に示すＸ−Ｘ線の断面図であり、図１８（ｂ）に示す観察部（Ｖ）及び非観察部（Ｖ’）は、Ｘ−Ｘ線上のものであるが、実際には、図１８（ａ）に示すように、一つの第１の要素（１１）において、凸形状の頂点（Ｑ）を結ぶ線、すなわちＺ−Ｚ線を境として観察部（Ｖ）と非観察部（Ｖ’）に区分けされる。
【００８４】
続いて、図４（ｃ）に示す台形の凸形状の第１の要素（１１）が形成される場合、観察部（Ｖ）と非観察部（Ｖ’）の範囲が異なるので、次に説明する。
【００８５】
図４（ｃ）に示す台形の凸形状の第１の要素（１１）が形成された基材（２）に第２の要素（２１）が重なる配置の断面図を図１９に示す。第１の要素（１１）が台形で形成される場合、凸形状の頂点（Ｑ）の位置は、凸形状の上面（Ｖ４）となる。このとき、基材（２）を斜めから観察すると、凸形状の手前側となる表面（Ｖ１）と凸形状の上面（Ｖ４）は観察することができ、凸形状の奥側となる表面（Ｖ２）と凸形状の第１の要素（１１）が形成されない基材（２）の平らな部分（Ｖ３）は凸形状の死角となって観察することができない。
【００８６】
また、凸形状の上面（Ｖ４）に形成される第２の要素（２１）は、凸形状の手前側となる表面（Ｖ１）に形成される第２の要素（２１）に対して、視認性が弱く、潜像の図柄の視認性への影響は小さいため、実際には、凸形状の手前側となる表面（Ｖ１）に重なる第２の要素（２１）によって、潜像が形成される。
【００８７】
したがって、第１の要素（１１）が台形で形成される場合、第１の要素（１１）の観察部（Ｖ）の範囲は、凸形状の上面（Ｖ４）を除く、凸形状の手前側となる表面（Ｖ１）となる。また、第１の要素（１１）が台形で形成される場合、非観察部（Ｖ’）の範囲は、凸形状の奥側となる表面（Ｖ２）、凸形状の上面（Ｖ４）及び基材（２）の平らな部分（Ｖ３）となる。
【００８８】
次に、図１８に示す配置と異なる第１の要素（１１）と第２の要素（２１）の配置について説明する。図２０は、図１８に示す配置と異なる、第１の要素（１１）と第２の要素（２１）の配置の一例を示した図である。
【００８９】
図２０（ａ）に示す配置は、第２の要素（２１）が、凸形状の観察部（Ｖ）の約半分に重なり、残りが第１の要素（１１）が形成されない基材（２）の平らな部分（Ｖ３）に重なる状態を示している。
【００９０】
図２０（ｂ）は、図２０（ａ）に示すＸ−Ｘ線における断面図を示す図である。このとき、凸形状の第１の要素（１１）の観察部（Ｖ）に第２の要素（２１）が重なっている部分のみ、その色を観察することができる。ただし、図１８に示す配置に対して、凸形状の第１の要素（１１）の観察部（Ｖ）に重なる第２の要素（２１）の面積が小さく、観察点（Ｌ２）から観察したときに視認される第２の要素（１１）の面積も小さくなるため、図１８に示す配置で観察される色に対して、低い濃度で観察される。これは、網点印刷の観察原理と同様であり、一定の領域内に形成される網点において、網点面積率が大きいほど高い濃度として視認され、網点面積率が小さいほど低い濃度で視認される原理のように、凸形状の観察部（Ｖ）に重なる第２の要素（２１）の面積が小さいほど低い濃度で観察され、凸形状の観察部（Ｖ）に重なる第２の要素（２１）の面積が大きいほど高い濃度で観察されるというものである。
【００９１】
本発明は、以上の観察原理を利用しており、第１の模様（１０）の第１の潜像要素（１１Ａ）、第２の潜像要素（１１Ｂ）及び背景要素（１１Ｃ）がそれぞれ異なる位相に配置されることによって、第１の要素（１１）の各要素と第２の要素（２１）の重なり方がそれぞれ異なり、第１の潜像部（３）と第２の潜像部（４）は異なる濃度で観察される。なお、第１の要素（１１）と第２の要素（２１）の具体的な配置については後述する。
【００９２】
これまでの説明は、第１の要素（１１）が凸形状で形成される例であるが、続いて、第１の要素（１１）が、凹形状で形成される例について説明する。
【００９３】
図２１は、図５（ａ）に示す半円の凹形状の第１の要素（１１）と第２の要素（２１）が重なって配置されている状態の一例を示す断面図である。この場合、図２１に示すように、観察点（Ｌ２）のように、基材（２）を斜めから観察すると、凹形状の底点（Ｒ）を境として、奥側となる凹形状の表面（Ｖ５）は観察することができ、手前側となる凹形状の表面（Ｖ６）は、死角となることから観察することができない。なお、本発明において、「凹形状の底点（Ｒ）」とは、凹形状で形成される第１の要素（１１）のうち、最も低い部分のことである。
【００９４】
また、基材（２）を斜めから観察したときに、第１の要素（１１）が形成されない基材（２）の平らな部分（Ｖ７）も観察することができるが、第１の要素（１１）が形成されない基材（２）の平らな部分（Ｖ７）に形成される第２の要素（２１）は、凹形状の底点（Ｒ）を境として奥側となる凹形状の表面（Ｖ５）に形成される第２の要素（２１）に対して、視認性が弱く、潜像の図柄の視認性への影響は小さいため、実際には、凹形状の底点（Ｒ）を境として奥側となる凹形状の表面（Ｖ５）に重なる第２の要素（２１）によって、潜像が形成される。
【００９５】
したがって、第１の要素（１１）が凹形状で形成される場合、凹形状の底点（Ｒ）を境として、奥側となる凹形状の表面（Ｖ５）のことを「観察部（Ｖ）」、基材（２）を斜めから観察したときに、凹形状の底点（Ｒ）を境として、手前側となる凹形状の表面（Ｖ６）及び基材（２）の平らな部分（Ｖ７）のことを「非観察部（Ｖ’）」とし、以降説明する。なお、図２１は、第１の要素（１１）の所定の位置における断面図であり、図２１に示す観察部（Ｖ）及び非観察部（Ｖ’）は、該位置におけるものであるが、実際には、一つの第１の要素（１１）において、凹形状の底点（Ｒ）を結ぶ線を境として観察部（Ｖ）と非観察部（Ｖ’）に区分けされる。また、第１の要素（１１）が凹形状で形成される場合においても、観察部（Ｖ）及び非観察部（Ｖ’）の範囲は、第１のピッチ（Ｐ１）及び画線の幅（Ｗ１）によって、若干の差はある。このように、第１の要素（１１）を凹形状で形成した場合においても、観察部（Ｖ）と非観察部（Ｖ’）を設けることができ、第１の潜像要素（１１Ａ）、第２の潜像要素（１１Ｂ）及び背景要素（１１Ｃ）の観察部（Ｖ）と第２の要素（２１）の重なり方がそれぞれ異なることによって、潜像を形成することができる。
【００９６】
続いて、図５（ｃ）に示す台形の凹形状の第１の要素（１１）が形成される場合、観察部（Ｖ）と非観察部（Ｖ’）の範囲が異なるので、次に説明する。
【００９７】
図５（ｃ）に示す台形の凹形状の第１の要素（１１）が形成された基材（２）に第２の要素（２１）が重なる配置の断面図を図２２に示す。第１の要素（１１）が台形で形成される場合、凹形状の底点（Ｒ）の位置は、凹形状の下面（Ｖ８）となる。このとき、基材（２）を斜めから観察すると、凹形状の奥側となる表面（Ｖ５）と基材の平らな部分（Ｖ７）は観察することができ、凹形状の手前側となる表面（Ｖ６）と凹形状の下面（Ｖ８）は、基材（２）の死角となって観察することができない。また、基材の平らな部分（Ｖ７）に形成される第２の要素（２１）は、凹形状の奥側となる表面（Ｖ５）に形成される第２の要素（２１）に対して、視認性が弱く、潜像の図柄の視認性への影響は小さいため、実際には、凹形状の奥側となる表面（Ｖ５）に重なる第２の要素（２１）によって、潜像が形成される。
【００９８】
したがって、第１の要素（１１）が台形で形成される場合、第１の要素（１１）の観察部（Ｖ）の範囲は、基材（２）の平らな部分（Ｖ７）を除く、凹形状の奥側となる表面（Ｖ５）となる。また、第１の要素（１１）が台形で形成される場合、第１の要素（１１）の非観察部（Ｖ’）の範囲は、凹形状の手前側となる表面（Ｖ６）、凹形状の下面（Ｖ８）及び基材（２）の平らな部分（Ｖ７）となる。
【００９９】
続いて、凹形状と凸形状を組み合わせて成る構成の第１の要素（１１）について説明する。図２３は、図６（ａ）に示す半円の凹形状と凸形状を組み合わせて成る第１の要素（１１）に第２の要素（２１）が重なって配置されている状態の一例を示す断面図である。この場合、第１の要素（１１）が半円の凸形状で形成される場合で説明したように、凸形状の頂点（Ｑ）を境として、手前側となる凸形状の表面（Ｖ１）は観察することができるが、奥側の表面（Ｖ２）は凸形状の死角となることから観察することができない。
【０１００】
また、第１の要素（１１）が半円の凹形状で形成される場合で説明したように、凹形状の低点（Ｒ）を境として、奥側となる凹形状の表面（Ｖ５）は観察することができるが、手前側となる凹形状の表面（Ｖ６）は、基材（１）の死角となることから観察することができない。
【０１０１】
また、凹形状又は凸形状の第１の要素（１１）が形成されない基材の平らな部分（Ｖ９）は、凸形状の死角となって基本的に観察することができないが、凹形状に近い側の部分（Ｖ９’）は、第１の要素（１１）の形状や第１のピッチ（Ｐ１）及び画線の幅（Ｗ１）によって、観察されることもある。しかしながら、前述したように、基材（１）の平らな部分に形成される第２の要素（２１）は、視認性が弱く、潜像の図柄の視認性への影響は小さい。
【０１０２】
したがって、第１の要素（１１）が凹形状と凸形状の組み合わせで形成される場合、凸形状の頂点（Ｑ）を境として、手前側となる凹形状の表面（Ｖ１）と凹形状の底点（Ｒ）を境として、奥側となる凹形状の表面（Ｖ５）が観察部（Ｖ）となる。なお、観察部（Ｖ）及び非観察部（Ｖ’）の範囲は、第１の要素（１１）の形状、第１のピッチ（Ｐ１）及び画線の幅（Ｗ１）によって、若干の差はある。
【０１０３】
以上、本発明の潜像の観察原理と観察部（Ｖ）と非観察部（Ｖ’）の範囲について説明したが、以降の説明では、第１の要素（１１）が図４（ａ）に示す半円の凸形状で形成される例で説明する。
【０１０４】
続いて、第１の要素（１１）と第２の要素（２１）の具体的な配置と、観察される図柄について説明する。なお、第１のピッチ（Ｐ１）と第２のピッチ（Ｐ2）が同じピッチで形成される第１の模様（１０）と第２の模様（２０）の配置について説明する。また、第１の要素（１１）が、基材（２）と同じ色で形成される例で説明する。また、観察点（Ｌ１）のように真上から観察した場合には、いずれの場合も第２の要素（２１）を観察することができるので説明を省略し、基材（２）に対して、斜めの方向から観察した場合に観察される潜像の図柄について説明する。また、以降説明する第１の要素（１１）と第２の要素（２１）の配置を示す図において、観察部（Ｖ）は、図面に示す各要素の半分から下側とし、非観察部（Ｖ’）は、図面に示す各要素の半分から上側とする。
【０１０５】
本発明において、第２の要素（２１）は、第１の潜像要素（１１Ａ）、第２の潜像要素（１１Ｂ）及び背景要素（１１Ｃ）のうち、少なくとも二つの要素に異なる面積率で重なる必要がある。第１の模様（１０）と第２の模様（２０）が形成される場合、このような配置となる組み合わせは４通りあり、本説明では、第１の配置〜第４の配置として、以下に説明する。
【０１０６】
第１の配置は、第２の要素（２１）が、第１の潜像要素（１１Ａ）の観察部（Ｖ）の少なくとも一部及び背景要素（１１Ｃ）の観察部（Ｖ）の少なくとも一部に重なり、第２の潜像要素（１１Ｂ）に重ならない配置である。この場合、第１の潜像要素（１１Ａ）の観察部（Ｖ）に重なる第２の要素（２１）の面積率と、背景要素（１１Ｃ）の観察部（Ｖ）に重なる第２の要素（２１）の面積率を異ならせて配置される。この配置の一例を、図２４（ａ）に示す。
【０１０７】
図２４（ａ）は、第２の要素（２１）が、第１の潜像要素（１１Ａ）の全体及び背景要素（１１Ｃ）の観察部（Ｖ）の一部に重なり、第２の潜像要素（１１Ｂ）に重ならない状態を示している。また、第１の潜像要素（１１Ａ）の観察部（Ｖ）に重なる第２の要素（２１）の面積率が、背景要素（１１Ｃ）の観察部（Ｖ）に重なる第２の要素（２１）の面積率より大きい状態を示している。
【０１０８】
ここで、第２の要素（２１）の画線の幅（Ｗ２）の範囲について説明する。図２４（ａ）に示す第１の配置において、第２の要素（２１）の画線の幅（Ｗ２）は、少なくとも１０μｍより大きくする必要がある。これは、第２の要素（２１）の画線の幅（Ｗ２）が１０μｍより小さいと、第１の要素（１１）と第２の要素（２１）の重なる面積が小さいため潜像の視認性が低下するからである。なお、第２の要素（２１）の画線の幅（Ｗ２）を小さくする場合は、各要素の位相の差も小さくする必要がある。
【０１０９】
また、第２の要素（２１）の画線の幅（Ｗ２）の上限は、図１４及び図１５に示す各要素の配置によって適宜調整して第１の配置とすればよいが、必ず、第１の潜像要素（１１Ａ）の観察部（Ｖ）に重なる第２の要素（２１）と背景要素（１１Ｃ）の観察部（Ｖ）に重なる第２の要素（２１）の面積率が異なり、かつ、第２の潜像要素（１１Ｂ）の観察部（Ｖ）に重ならないようにする必要がある。
【０１１０】
図２４（ａ）に示す第１の配置の潜像模様形成体（１）の第１の模様（１０）と第２の模様（２０）が形成された領域を斜めから観察した場合、図２４（ｂ）に示す潜像模様（５）が観察される。このときに観察される潜像模様（５）の「Ａ」の文字は、第２の要素（２１）の色が高い濃度で視認され、「Ａ」の文字の背景は、第２の要素（２１）の色が低い濃度で視認される。このように、潜像模様（５）が観察される理由は、以下の通りである。
【０１１１】
潜像模様（５）のうち、「Ａ」の文字が観察される部分に対する第１の模様（１０）は、二つの異なる位相に配置された第１の潜像要素（１１Ａ）と背景要素（１１Ｃ）で構成されており、第１の配置のとき、第１の潜像要素（１１Ａ）の観察部（Ｖ）に第２の要素（２１）が重なることによって、図２４（ｃ）に示す第２の要素（２１）の色で観察される第１の潜像部（３）が形成される。また、背景要素（１１Ｃ）の観察部（Ｖ）に第２の要素（２１）が重なることによって、図２４（ｃ）に示す第２の要素（２１）の色で観察される背景部（６）が形成される。このとき、「ＮＰＢ」の文字は、「ＮＰＢ」の文字に対応する第１の潜像要素（１１Ａ）の観察部（Ｖ）に重なる第２の要素（２１）の面積率が、「ＮＰＢ」の文字の背景に対応する背景要素（１１Ｃ）に重なる第２の要素（２１）の面積率より大きく、斜めから観察するときに視認される第２の要素（２１）の面積が大きくなるため、「ＮＰＢ」の文字の背景より高い濃度で観察される。
【０１１２】
また、潜像模様（５）のうち、「Ａ」の文字の背景が観察される部分に対する第１の模様（１０）は、二つの異なる位相に配置された第２の潜像要素（１１Ｂ）と背景要素（１１Ｃ）で構成されており、第１の配置のとき、背景要素（１１Ｃ）の観察部（Ｖ）に第２の要素（２１）が重なることによって、図２４（ｄ）に示す第２の要素（２１）の色で観察される背景部（６）が形成される。また、第２の潜像要素（１１Ｂ）の観察部（Ｖ）には、第２の要素（２１）が重ならないが、背景要素（１１Ｃ）の観察部（Ｖ）に第２の要素（２１）が重なることによって、図２４（ｄ）に示す白抜きで観察される第２の潜像部（４）が形成される。なお、第１の潜像部（３）の図柄の背景に対応する背景要素（１１Ｃ）と第２の潜像部（４）の図柄の背景に対応する背景要素（１１Ｃ）は、同じ位相に位置しており、二つの背景要素（１１Ｃ）の観察部（Ｖ）に重なる第２の要素（２１）の面積率が同じであるため、図２４（ｃ）に示す背景部（６）と図２４（ｄ）に示す背景部（６）は、同じ濃度で観察される。
【０１１３】
以上の説明から、図２４（ａ）に示す第１の配置においては、第１の潜像部（３）と第２の潜像部（４）に対し、互いの背景となる背景部（６）が同じ色で観察される中、高い濃度で観察される第１の潜像部（３）が、潜像模様（５）の「Ａ」の文字に配置されることで、第１の潜像部（３）の濃度が強調され、「Ａ」の文字全体としては、第２の要素（２１）の色が高い濃度で観察される。また、「Ａ」の文字の背景では、白抜きで観察される第２の潜像部（４）が配置されることで、「Ａ」の文字の背景全体として濃度が低下し、第２の要素（２１）の色が低い濃度で観察される。なお、第１の配置において、背景要素（１１Ｃ）に重なる第２の要素（２１）の面積率を、第１の潜像要素（１１Ａ）の観察部（Ｖ）に重なる第２の要素（２１）の面積率より大きくした場合（図示せず）、互いの背景部（６）が高い濃度で観察される中、潜像模様（５）の「Ａ」の文字は、低い濃度で観察され、「Ａ」の文字の背景は、更に低い濃度で観察される。
【０１１４】
特許文献１の技術は、印刷された面を傾けて観察すると、一定の濃度の潜像が観察されるだけであったが、本発明の潜像模様形成体（１）は、異なる濃度で視認される第１の潜像部（３）と第２の潜像部（４）を設け、第１の潜像部（３）と第２の潜像部（４）を潜像模様（５）の「Ａ」の文字とその背景を構成するように配置することで、単純に第１の潜像部（３）と第２の潜像部（３）が観察されるだけでなく、第１の潜像部（３）と第２の潜像部（４）の配置によって現される図柄を潜像模様（５）として観察することができる。そして、本発明の潜像模様形成体（１）は、以上説明した潜像を観察することができ、これを真偽判別に用いることによって、貴重印刷物の偽造防止を図ることができる。
【０１１５】
なお、図２４（ａ）に示す第１の配置は、第１のピッチ（Ｐ１）と第２のピッチ（Ｐ2）が同じピッチで形成される例であるが、本発明において、第２の要素（２１）の第２のピッチ（Ｐ２）は、第１のピッチ（Ｐ１）と略同じ大きさで形成される。略同じ大きさとは、第１のピッチ（Ｐ１）に対して４／５〜６／５の大きさの範囲である。好ましくは、同じピッチとするのがよい。これは、図２４（ａ）に示すように、第１のピッチ（Ｐ１）と第２のピッチ（Ｐ２）が同じ場合、第１の要素（１１）と第２の要素（２１）が必ず一定の間隔で重なるため、第１の潜像要素（１１Ａ）、第２の潜像要素（１１Ｂ）及び背景要素（１１Ｃ）による潜像の図柄とその背景を視認しやすいからである。仮に、第２のピッチ（Ｐ２）を、前述した範囲で異なる場合には、第１の要素（１１）と第２の要素（２１）の重なる状態が徐々に変化するので、モアレ状の潜像模様が観察される。
【０１１６】
第２の配置は、第２の要素（２１）が、第１の潜像要素（１１Ａ）の観察部（Ｖ）の少なくとも一部及び第２の潜像要素（１１Ｂ）の観察部（Ｖ）の少なくとも一部に重なり、背景要素（１１Ｃ）の観察部（Ｖ）に重ならない配置である。この場合、第１の潜像要素（１１Ａ）の観察部（Ｖ）に重なる第２の要素（２１）の面積率と、第２の潜像要素（１１Ｂ）の観察部（Ｖ）に重なる第２の要素（２１）の面積率を異ならせて配置される。この配置の一例を、図２５（ａ）に示す。
【０１１７】
図２５（ａ）は、第２の要素（２１）が、第１の潜像要素（１１Ａ）の観察部（Ｖ）の一部及び第２の潜像要素（１１Ｂ）の全体に重なり、背景要素（１１Ｃ）に重ならない状態を示している。また、第１の潜像要素（１１Ａ）の観察部（Ｖ）に重なる第２の要素（２１）の面積率が、第２の潜像要素（１１Ｂ）の観察部（Ｖ）に重なる第２の要素（２１）の面積率より小さい状態を示している。
【０１１８】
図２５（ａ）に示す第２の配置において、第２の要素（２１）の画線の幅（Ｗ２）は、少なくとも１０μｍより大きくする必要がある。この理由は、第１の配置で説明したとおりである。また、第２の要素（２１）の画線の幅（Ｗ２）の上限は、図１４及び図１５に示す各要素の配置によって適宜調整して第２の配置とすればよいが、必ず、第１の潜像要素（１１Ａ）の観察部（Ｖ）に重なる第２の要素（２１）と第２の潜像要素（１１Ｂ）の観察部（Ｖ）に重なる第２の要素（２１）の面積率が異なり、かつ、背景要素（１１Ｃ）の観察部（Ｖ）に重ならないようにする必要がある。
【０１１９】
また、図２５（ａ）に示す第２の配置は、第１のピッチ（Ｐ１）と第２のピッチ（Ｐ2）が同じピッチで形成される例であるが、第２の配置においても、第２のピッチ（Ｐ２）は、前述したように、第１のピッチ（Ｐ１）と略同一の範囲で形成してもよい。
【０１２０】
図２５（ａ）に示す第２の配置の潜像模様形成体（１）の第１の模様（１０）と第２の模様（２０）が形成された領域を斜めから観察した場合、図２５（ｂ）に示す潜像模様（５）が観察される。このときに観察される潜像模様（５）の「Ａ」の文字は、第２の要素（２１）の色が低い濃度で視認され、「Ａ」の文字の背景は、第２の要素（２１）の色が高い濃度で視認される。このように、潜像模様（５）が観察される理由は、以下の通りである。
【０１２１】
潜像模様（５）のうち、「Ａ」の文字が観察される部分に対する第１の模様（１０）において、第２の配置のとき、第１の潜像要素（１１Ａ）の観察部（Ｖ）に第２の要素（２１）が重なることによって、図２５（ｃ）に示す第２の要素（２１）の色で観察される第１の潜像部（３）が形成される。また、背景要素（１１Ｃ）には、第２の要素（２１）が重ならないが、第１の潜像要素（１１Ａ）の観察部（Ｖ）に第２の要素（２１）が重なることによって、図２５（ｃ）に示す白抜きで観察される背景部（６）が形成される。
【０１２２】
また、潜像模様（５）のうち、「Ａ」の文字の背景が観察される部分に対する第１の模様（１０）においては、第２の潜像要素（１１Ｂ）の観察部（Ｖ）に第２の要素（２１）が重なることによって、図２５（ｄ）に示す第２の要素（２１）の色で観察される第２の潜像部（４）が形成される。このとき、「ＪＰＮ」の文字は、「ＪＰＮ」の文字に対応する第２の潜像要素（１１Ｂ）の観察部（Ｖ）に重なる第２の要素（２１）の面積率が、「ＮＰＢ」の文字に対応する第１の潜像要素（１１Ａ）に重なる第２の要素（２１）の面積率より大きく、斜めから観察するときに視認される第２の要素（２１）の面積が大きくなるため、「ＮＰＢ」の文字より高い濃度で観察される。また、背景要素（１１Ｃ）には、第２の要素（２１）が重ならないが、第２の潜像要素（１１Ｂ）の観察部（Ｖ）に第２の要素（２１）が重なることによって、図２５（ｄ）に示す白抜きで観察される背景部（６）が形成される。
【０１２３】
以上の説明から、図２５（ａ）に示す第２の配置においては、第１の潜像部（３）と第２の潜像部（４）に対し、互いの背景となる背景部（６）が白抜きで観察される中、高い濃度で観察される第２の潜像部（４）が、潜像模様（５）の「Ａ」の文字の背景に配置されることで、「Ａ」の文字背景全体としては、第２の要素（２１）の色が高い濃度で観察される。また、第２の潜像部（４）に対して低い濃度で観察される第１の潜像部（３）が、潜像模様（５）の「Ａ」の文字に配置されることで、「Ａ」の文字全体としては、第２の要素（２１）の色が低い濃度で観察される。なお、第２の配置において、第１の潜像要素（１１Ａ）の観察部（Ｖ）に重なる第２の要素（２１）の面積率を、第２の潜像要素（１１Ｂ）の観察部（Ｖ）に重なる第２の要素（２１）の面積率より大きくした場合（図示せず）、第１の潜像部（３）で構成される「Ａ」の文字が高い濃度で観察され、第２の潜像部（４）で構成される「Ａ」の文字の背景が低い濃度で観察される。
【０１２４】
第３の配置は、第２の要素（２１）が、第２の潜像要素（１１Ｂ）の観察部（Ｖ）の少なくとも一部及び背景要素（１１Ｃ）の観察部（Ｖ）の少なくとも一部に重なり、第１の潜像要素（１１Ａ）の観察部（Ｖ）に重ならない配置である。この場合、第２の潜像要素（１１Ｂ）の観察部（Ｖ）に重なる第２の要素（２１）の面積率と、背景要素（１１Ｃ）の観察部（Ｖ）に重なる第２の要素（２１）の面積率を異ならせて配置される。この配置の一例を、図２６（ａ）に示す。
【０１２５】
図２６（ａ）は、第２の要素（２１）が、第２の潜像要素（１１Ｂ）の観察部（Ｖ）の全体及び背景要素（１１Ｃ）の観察部（Ｖ）の一部と非観察部（Ｖ’）の全体に重なり、第１の潜像要素（１１Ａ）に重ならない状態を示している。また、背景要素（１１Ｃ）の観察部（Ｖ）に重なる第２の要素（２１）の面積率が、第２の潜像要素（１１Ｂ）の観察部（Ｖ）に重なる第２の要素（２１）の面積率より小さい状態を示している。
【０１２６】
図２６（ａ）に示す第３の配置において、第２の要素（２１）の画線の幅（Ｗ２）は、少なくとも１０μｍより大きくする必要がある。この理由は、第１の配置で説明したとおりである。また、第２の要素（２１）の画線の幅（Ｗ２）の上限は、図１４及び図１５に示す各要素の配置によって適宜調整して第３の配置とすればよいが、必ず、第２の潜像要素（１１Ｂ）の観察部（Ｖ）に重なる第２の要素（２１）と背景要素（１１Ｃ）の観察部（Ｖ）に重なる第２の要素（２１）の面積率が異なり、かつ、第１の潜像要素（１１Ａ）の観察部（Ｖ）に重ならないようにする必要がある。
【０１２７】
また、図２６（ａ）に示す第３の配置は、第１のピッチ（Ｐ１）と第２のピッチ（Ｐ2）が同じピッチで形成される例であるが、第３の配置においても、第２のピッチ（Ｐ２）は、前述したように、第１のピッチ（Ｐ１）と略同一の範囲で形成してもよい。
【０１２８】
図２６（ａ）に示す第３の配置の潜像模様形成体（１）の第１の模様（１０）と第２の模様（２０）が形成された領域を斜めから観察した場合、図２６（ｂ）に示す潜像模様（５）が観察される。このときに観察される潜像模様（５）の「Ａ」の文字は、第２の要素（２１）の色が低い濃度で視認され、「Ａ」の文字の背景は、第２の要素（２１）の色が高い濃度で視認される。このように、潜像模様（５）が観察される理由は、以下の通りである。
【０１２９】
潜像模様（５）のうち、「Ａ」の文字が観察される部分に対する第１の模様（１０）において、第３の配置のとき、背景要素（１１Ｃ）の観察部（Ｖ）に第２の要素（２１）が重なることによって、図２６（ｃ）に示す第２の要素（２１）の色で観察される背景部（６）が形成される。また、第１の潜像要素（１１Ａ）の観察部（Ｖ）には、第２の要素（２１）が重ならないが、背景要素（１１Ｃ）の観察部（Ｖ）に第２の要素（２１）が重なることによって、図２６（ｃ）に示す白抜きで観察される第１の潜像部（３）が形成される。
【０１３０】
また、潜像模様（５）のうち、「Ａ」の文字の背景が観察される部分に対する第１の模様（１０）においては、第２の潜像要素（１１Ｂ）の観察部（Ｖ）に第２の要素（２１）が重なることによって、図２６（ｄ）に示す第２の要素（２１）の色で観察される第２の潜像部（４）が形成される。また、背景要素（１１Ｃ）の観察部（Ｖ）に第２の要素（２１）が重なることによって、図２６（ｄ）に示す第２の要素（２１）の色で観察される背景部（６）が形成される。このとき、「ＪＰＮ」の文字は、「ＪＰＮ」の文字に対応する第２の潜像要素（１１Ｂ）の観察部（Ｖ）に重なる第２の要素（２１）の面積率が、「ＪＰＮ」の文字の背景に対応する背景要素（１１Ｃ）に重なる第２の要素（２１）の面積率より大きく、斜めから観察するときに視認される第２の要素（２１）の面積が大きくなるため、「ＪＰＮ」の文字の背景より高い濃度で観察される。なお、第１の潜像部（３）の図柄の背景に対応する背景要素（１１Ｃ）と第２の潜像部（４）の図柄の背景に対応する背景要素（１１Ｃ）は、同じ位相に位置しており、二つの背景要素（１１Ｃ）の観察部（Ｖ）に重なる第２の要素（２１）の面積率が同じであるため、図２６（ｃ）に示す背景部（６）と図２６（ｄ）に示す背景部（６）は、同じ濃度で観察される。
【０１３１】
以上の説明から、図２６（ａ）に示す第３の配置においては、第１の潜像部（３）と第２の潜像部（４）に対し、互いの背景となる背景部（６）が同じ色で観察される中、潜像模様（５）の「Ａ」の文字は、白抜きで観察される第１の潜像部（３）が、潜像模様（５）の「Ａ」の文字に配置されることで、「Ａ」の文字全体として濃度が低下し、第２の要素（２１）の色が低い濃度で観察される。また、高い濃度で観察される第２の潜像部（４）が、潜像模様（５）の「Ａ」の文字の背景に配置されることで、第２の潜像部（４）の濃度が強調され、「Ａ」の文字の背景全体としては、第２の要素（２１）の色が高い濃度で観察される。なお、第３の配置において、背景要素（１１Ｃ）に重なる第２の要素（２１）の面積率を、第２の潜像要素（１１Ｂ）の観察部（Ｖ）に重なる第２の要素（２１）の面積率より大きくした場合（図示せず）、互いの背景部（６）が高い濃度で観察される中、潜像模様（５）の「Ａ」の文字の背景は、低い濃度で観察され、「Ａ」の文字は、更に低い濃度で観察される。
【０１３２】
第４の配置は、第２の要素（２１）が、第１の潜像要素（１１Ａ）の観察部（Ｖ）の少なくとも一部、第２の潜像要素（１１Ｂ）の観察部（Ｖ）の少なくとも一部及び背景要素（１１Ｃ）の観察部（Ｖ）の少なくとも一部に重なる配置である。この場合、第１の潜像要素（１１Ａ）の観察部（Ｖ）に重なる第２の要素（２１）の面積率、第２の潜像要素（１１Ｂ）の観察部（Ｖ）に重なる第２の要素（２１）の面積率及び背景要素（１１Ｃ）の観察部（Ｖ）に重なる第２の要素（２１）の面積率のそれぞれを異ならせて配置される。この配置の一例を、図２７（ａ）に示す。
【０１３３】
図２７（ａ）は、第２の要素（２１）が、第１の潜像要素（１１Ａ）の観察部（Ｖ）の一部、第２の潜像要素（１１Ｂ）の全体及び背景要素（１１Ｃ）の観察部（Ｖ）の一部と非観察部（Ｖ’）の全体に重なる状態を示している。また、背景要素（１１Ｃ）の観察部（Ｖ）に重なる第２の要素（２１）の面積率が、第１の潜像要素（１１Ａ）の観察部（Ｖ）に重なる第２の要素（２１）の面積率より小さい状態を示している。
【０１３４】
図２７（ａ）に示す第４の配置において、第２の要素（２１）の画線の幅（Ｗ２）は、少なくとも１０μｍより大きくする必要がある。この理由は、第１の配置で説明したとおりである。また、第２の要素（２１）の画線の幅（Ｗ２）の上限は、第１のピッチ（Ｐ１）に対して９／１０より小さい範囲の大きさで形成される。これは、第２の要素（２１）の画線の幅（Ｗ２）が、第１のピッチ（Ｐ１）に対して９／１０より大きいと、異なる位相に配置された各要素（１１）の全体に第２の要素（２１）が重なり、第１の潜像要素（１１Ａ）、第２の潜像要素（１１Ｂ）及び背景要素（１１Ｃ）による潜像の図柄とその背景でコントラストが得られず潜像が観察できないからである。
【０１３５】
また、図２７（ａ）に示す第４の配置は、第１のピッチ（Ｐ１）と第２のピッチ（Ｐ2）が同じピッチで形成される例であるが、第４の配置においても、第２のピッチ（Ｐ２）は、前述した第１のピッチ（Ｐ１）と略同一の範囲で形成してもよい。
【０１３６】
図２７（ａ）に示す第４の配置の潜像模様形成体（１）の第１の模様（１０）と第２の模様（２０）が形成された領域を斜めから観察した場合、図２７（ｂ）に示す潜像模様（５）が観察される。このときに観察される潜像模様（５）の「Ａ」の文字は、第２の要素（２１）の色が低い濃度で視認され、「Ａ」の文字の背景は、第２の要素（２１）の色が高い濃度で視認される。このように、潜像模様（５）が観察される理由は、以下の通りである。
【０１３７】
潜像模様（５）のうち、「Ａ」の文字が観察される部分に対する第１の模様（１０）において、第４の配置のとき、第１の潜像要素（１１Ａ）の観察部（Ｖ）に第２の要素（２１）が重なることによって、図２７（ｃ）に示す第２の要素（２１）の色で観察される第１の潜像部（３）が形成される。また、背景要素（１１Ｃ）の観察部（Ｖ）に第２の要素（２１）が重なることによって、図２７（ｃ）に示す第２の要素（２１）の色で観察される背景部（６）が形成される。このとき、「ＮＰＢ」の文字は、「ＮＰＢ」の文字に対応する第１の潜像要素（１１Ａ）の観察部（Ｖ）に重なる第２の要素（２１）の面積率が、「ＮＰＢ」の文字の背景に対応する背景要素（１１Ｃ）に重なる第２の要素（２１）の面積率より大きく、斜めから観察するときに視認される第２の要素（２１）の面積が大きくなるため、「ＮＰＢ」の文字の背景より高い濃度で観察される。
【０１３８】
また、潜像模様（５）のうち、「Ａ」の文字の背景が観察される部分に対する第１の模様（１０）においては、第２の潜像要素（１１Ｂ）の観察部（Ｖ）に第２の要素（２１）が重なることによって、図２７（ｄ）に示す第２の要素（２１）の色で観察される第２の潜像部（４）が形成される。また、背景要素（１１Ｃ）の観察部（Ｖ）に第２の要素（２１）が重なることによって、図２７（ｄ）に示す第２の要素（２１）の色で観察される背景部（６）が形成される。このとき、「ＪＰＮ」の文字は、「ＪＰＮ」の文字に対応する第２の潜像要素（１１Ｂ）の観察部（Ｖ）に重なる第２の要素（２１）の面積率が、「ＪＰＮ」の文字の背景に対応する背景要素（１１Ｃ）に重なる第２の要素（２１）の面積率より大きく、斜めから観察するときに視認される第２の要素（２１）の面積が大きくなるため、「ＪＰＮ」の文字の背景より高い濃度で観察される。なお、第１の潜像部（３）に対応する背景要素（１１Ｃ）と第２の潜像部（４）に対応する背景要素（１１Ｃ）は、同じ位相に位置しており、二つの背景要素（１１Ｃ）の観察部（Ｖ）に重なる第２の要素（２１）の面積率が同じであるため、図２７（ｃ）に示す背景部（６）と図２７（ｄ）に示す背景部（６）は、同じ色で観察される。また、第１の潜像要素（１１Ａ）の観察部（Ｖ）の一部に第２の要素（２１）が重なるのに対して、第２の潜像要素（１１Ｂ）の観察部（Ｖ）の全体に第２の要素（２１）が重なるため、第２の潜像部（４）である「ＪＰＮ」の文字は、第１の潜像部（３）である「ＮＰＢ」の文字より高い濃度で観察される。
【０１３９】
以上の説明から、図２７（ａ）に示す第４の配置においては、第１の潜像部（３）と第２の潜像部（４）に対し、互いの背景となる背景部（６）が同じ色で観察される中、高い濃度で観察される第２の潜像部（４）が、潜像模様（５）の「Ａ」の文字の背景に配置されることで、第２の潜像部（４）の濃度が強調され、「Ａ」の文字の背景全体としては、第２の要素（２１）の色が高い濃度で観察される。また、「Ａ」の文字では、背景部（６）より高い濃度で観察される第１の潜像部（３）が、潜像模様（５）の「Ａ」の文字に配置されることで、第１の潜像部（３）の濃度が強調されて観察される。ただし、第１の潜像部（３）の濃度は、第２の潜像部（４）の濃度より低いため、「Ａ」の文字は、「Ａ」の文字の背景に対して低い濃度で観察される。なお、第４の配置において、第１の潜像要素（１１Ａ）、第２の潜像要素（１１Ｂ）及び背景要素（１１Ｃ）の観察部（Ｖ）に重なる第２の要素（２１）の面積率の大小関係は、図２７（ａ）に示す配置の例に限定されず、第１の潜像要素（１１Ａ）の観察部（Ｖ）に重なる第２の要素（２１）の面積率が最も大きくてもよいし（図示せず）、背景要素（１１Ｃ）の観察部（Ｖ）に重なる第２の要素（２１）の面積率が最も大きくてもよい（図示せず）。
【０１４０】
以上が、第１の模様（１０）と第２の模様（２０）が形成されて成る潜像模様形成体（１）の配置と観察される潜像であり、第１の模様（１０）を構成する第１の潜像要素（１１Ａ）及び第２の潜像要素（１１Ｂ）に対する潜像をすべて出現させるために、第２の模様（２０）を形成する領域を、第１の模様（１０）が形成される領域と同じ大きさ又は第１の模様（１０）が形成される領域よりも大きくし、第１の模様（１０）を覆うように配置する必要がある。
【０１４１】
なお、本実施の形態では、潜像模様（５）の「Ａ」の文字に第１の潜像部（３）が配置され、潜像模様（５）の「Ａ」の文字の背景に第２の潜像部（４）が配置される構成について説明したが、潜像模様（５）の「Ａ」の文字の背景に第１の潜像部（３）が複数配置され、「Ａ」の文字に第２の潜像部（４）が複数配置される構成であっても良い（図示せず）。これは、前述した第１の配置〜第４の配置において、第１の模様（１０）と第２の模様（２０）が重なるとき、第１の潜像部（３）、第２の潜像部（４）及び背景部（６）は、視認性が異なるからであり、これによって、「Ａ」の文字とその背景で視認性が異なる潜像模様（５）を観察することができるからである。
【０１４２】
続いて、前述した観察原理によって潜像模様（５）が観察されるための第１の要素（１１）の第１のピッチ（Ｐ１）について説明する。
【０１４３】
図７に示す第１のピッチ（Ｐ１）は、各要素を異なる位相に配置することが可能な範囲であれば、第１の配置〜第４の配置とすることができるので、特に限定されるものではないが、好ましくは、画線の幅（Ｗ１）の２倍〜３倍で形成されるのがよい。ここで、第１のピッチ（Ｐ１）が、画線の幅（Ｗ１）の２倍〜３倍で形成されるのが好ましい理由について説明する。
【０１４４】
はじめに、第１のピッチ（Ｐ１）が、画線の幅（Ｗ１）の２倍より大きくするのが好ましい理由について説明する。これは、各要素の観察部（Ｖ）を同じ位相で重ならないように配置するためには、第１のピッチ（Ｐ１）を、画線の幅（Ｗ１）の２倍より大きくする必要があり、このとき、第１の潜像要素（１１Ａ）、第２の潜像要素（１１Ｂ）及び背景要素（１１Ｃ）に重なる第２の要素（２１）のコントラストが最も得られるとともに、潜像の表現可能な濃度の範囲を広くすることができるからである。
【０１４５】
図２８（ａ）に、画線の幅（Ｗ１）の２倍より小さい範囲に各要素を配置した状態の一例として、画線の幅（Ｗ１）の１．５倍の範囲に各要素を配置した状態を示し、図２８（ｂ）に、画線の幅（Ｗ１）の２倍の範囲に各要素を配置した状態を示す。図２８（ａ）及び（ｂ）に示す各要素は、画線の幅（Ｗ１）の中心を境に観察部（Ｖ）と非観察部（Ｖ’）に区分けされ、各要素は等間隔に配置されている状態を示している。
【０１４６】
図２８（ａ）に示すように、各要素を画線の幅（Ｗ１）の１．５倍の範囲に配置した場合には、背景要素（１１Ｃ）と第１の潜像要素（１１Ａ）の観察部（Ｖ）及び第１の潜像要素（１１Ａ）と第２の潜像要素（１１Ｂ）の観察部（Ｖ）において、同じ位相に位置する部分が生じる。そして、各要素の観察部（Ｖ）に第２の要素（２１）が前述した第１の配置〜第４の配置で重なる場合、第１の潜像部（３）、第２の潜像部（４）及び背景部（６）のコントラストが低下してしまう。これを説明するため、図２８（ａ）に示す背景要素（１１Ｃ）の観察部（Ｖ）と第１の潜像要素（１１Ａ）の観察部（Ｖ）に、第２の要素（２１）が重なる第１の配置の例を、図２９（ａ）に示す。
【０１４７】
図２９（ａ）に示す配置は、第２の要素（２１）が背景要素（１１Ｃ）の観察部（Ｖ）の全体と、第１の潜像要素（１１Ａ）の観察部（Ｖ）の半分に重なる状態を示している。このとき、背景要素（２１）の観察部（Ｖ）に重なる第２の要素（２１）と第１の潜像要素（１１Ａ）の観察部（Ｖ）に重なる第２の潜像要素（２１）の面積率の差が、第１の潜像要素（１１Ａ）に対する潜像の図柄とその背景のコントラストとなる。そして、図２９（ａ）に示す配置の場合、潜像の図柄と背景のコントラストは、画線の幅（Ｗ１）の１／４の範囲に重なる第２の要素（２１）となる。
【０１４８】
続いて、図２８（ｂ）に示す各要素の観察部（Ｖ）に第２の要素（２１）が第１の配置で重なる例を図２９（ｂ）に示す。図２９（ｂ）に示す配置は、第２の要素（２１）が背景要素（１１Ｃ）の観察部（Ｖ）の全体と非観察部（Ｖ）の一部及び第１の潜像要素（１１Ａ）の観察部（Ｖ）の一部に重なる状態を示している。
【０１４９】
図２９（ｂ）に示すように、各要素の観察部（Ｖ）が異なる位相に配置される構成の場合、第２の要素（２１）の画線の幅（Ｗ２）を調整して、第２の要素（２１）を第１の潜像要素（１１Ａ）の観察部（Ｖ）のわずかな一部に重ねることによって、第１の潜像要素（１１Ａ）に対する潜像の図柄とその背景のコントラストを大きくすることができる。
【０１５０】
また、図２９（ａ）に示す第１の配置の場合、第１の潜像要素（１１Ａ）の観察部（Ｖ）には、画線の幅（Ｗ１）の１／２までしか第２の要素（２１）を形成することができない。これは、第１の潜像要素（１１Ａ）の観察部（Ｖ）に重なる第２の要素（２１）の範囲を画線の幅（Ｗ１）の１／２より大きくすると、第２の潜像要素（１１Ｂ）の観察部（Ｖ）に第２の要素（２１）が重なってしまい、第１の配置にならないからである。このことから、図２９（ａ）に示す配置の場合、第１の潜像要素（１１Ａ）によって構成される図柄の表現できる濃度範囲が制限されてしまう。
【０１５１】
一方、図２９（ｂ）に示す第１の配置の場合、第１の潜像要素（１１Ａ）の観察部（Ｖ）に重なる第２の要素（２１）は、画線の幅（Ｗ１）の１／２よりも大きくすることができ（画線の幅（Ｗ１）の１／２より大きくしても、第２の潜像要素（１１Ｂ）に重ならないため）、第１の潜像要素（１１Ａ）に対する潜像の図柄の表現可能な濃度の範囲を広くすることができる。
【０１５２】
以上の説明は、第２の要素（２１）が第１の配置で重なる例で説明したが、第２の配置〜第４の配置についても同様である。
【０１５３】
このように、潜像が観察されるときの第１の潜像要素（１１Ａ）に対する潜像の図柄、第２の潜像要素（１１Ｂ）に対する潜像の図柄及び潜像の図柄の背景のコントラストが最も得られるとともに、潜像の表現可能な濃度の範囲を広くすることが可能な構成とするため、各要素を画線の幅（Ｗ１）の２倍の範囲に配置するのが好ましい。
【０１５４】
続いて、第１のピッチ（Ｐ１）が、画線の幅（Ｗ１）の３倍より小さくするのが好ましい理由について説明する。これは、第１のピッチ（Ｐ１）を、画線の幅（Ｗ１）の３倍より大きくすると、潜像の図柄を形成するための第１の模様（１０）が大きくなり、貴重印刷物を構成するデザイン、例えば、他の印刷図柄等の制約を受けるために、好ましくない。また、本発明において、第２の要素（２１）は、異なる位相に配置された第１の要素（１１）の少なくとも二つの観察部（Ｖ）に異なる面積率で重なる必要があるが、各要素同士に間隔が生じると、第２の要素（２１）の画線の幅（Ｗ２）も大きくする必要があり、加工効率が低下するからである。以上のことから、第１のピッチ（Ｐ１）は、画線の幅（Ｗ１）の３倍より小さくするのが好ましい。
【０１５５】
このような構成の第１の要素（１１）と第２の要素（２１）が、前述した第１の配置から第４の配置で重なることによって、潜像模様（５）を観察することができる。
【０１５６】
以上説明した潜像模様形成体（１）は、潜像模様（５）が第２の模様（２０）の色で観察されるが、第２の模様（２０）と同じ形成方法で、かつ、第１の模様（１０）及び第２の模様（２０）と異なる色相の第３の模様（３０）を形成することによって、潜像に色変化を持たせることも可能である。そこで、第３の模様（３０）について、以下に説明する。
【０１５７】
（第３の模様）
第３の模様（３０）は、図３０に示すように、基材（２）に、第１の要素（１１）及び第２の要素（２１）と異なる色の第３の要素（３１）が万線状に複数配置されて成る。第３の要素（２１）を形成する方法は、前述した第２の要素（２１）を形成する方法と同じであり、オフセット印刷、グラビア印刷、インクジェット印刷等の公知の印刷方法を用いることができる。
【０１５８】
また、画線の構成についても第２の要素（２１）と同じであり、画線、画素又は画線と画素の複合の構成のいずれでもよい。なお、第３の要素（３１）の画線に対しては、第３のピッチ（Ｐ３）、画線の幅（Ｗ３）として説明し、第３の要素（３１）の画素に対しては、画素の高さ（Ｗ’３）、画素の幅（Ｘ３）、画素のピッチ（ｐ３）として説明する。
【０１５９】
第３のピッチ（Ｐ３）、画素の幅（Ｘ３）及び画素のピッチ（ｐ３）の範囲は、第２の要素（２１）の第２のピッチ（Ｐ２）、画素の幅（Ｘ２）及び画素のピッチ（ｐ２）の範囲と同じである。画線の幅（Ｗ３）及び画素の高さ（Ｗ’３）の範囲については、第１の要素（１１）、第２の要素（２１）及び第３の要素（３１）の配置によるので、以降に説明する第１の要素（１１）、第２の要素（２１）及び第３の要素（３１）の配置で後述する。なお、画素の高さ（Ｗ’３）の範囲は、画線の幅（Ｗ３）の範囲と同じであるため、説明を省略する。
【０１６０】
第３の模様（３０）は、第２の模様（２０）と同様に、第１の模様（１０）が形成される領域と同じ大きさ又は第１の模様（１０）が形成される領域よりも大きくし、第１の模様（１０）を覆うように配置する必要がある。これは、第１の潜像要素（１１Ａ）及び第２の潜像要素（１１Ｂ）に対する潜像をすべて出現させるためである。そして、第３の模様（３０）は、図３１に示すように、第１の模様（１０）を覆うように重なり、第３の要素（３１）は、第２の要素（２１）と重ならないように配置される。続いて、第１の要素（１１）、第２の要素（２１）及び第３の要素（３１）の具体的な配置について説明する。
【０１６１】
第３の模様（３０）が形成される場合の、第１の要素（１１）、第２の要素（２１）及び第３の要素（３１）の配置は、以下に説明する２通りの配置があり、それぞれ第５の配置と第６の配置とする。
【０１６２】
第３の模様（３０）が形成される場合の一つ目の配置（以降、第５の配置という）は、第２の要素（２１）が、第１の潜像要素（１１Ａ）、第２の潜像要素（１１Ｂ）及び背景要素（１１Ｃ）のうち、一つの要素の観察部（Ｖ）の少なくとも一部に重なり、他の要素の観察部（Ｖ）に重ならず、第３の要素（３１）が、第２の要素（２１）に重ならず、かつ、第１の潜像要素（１１Ａ）、第２の潜像要素（１１Ｂ）及び背景要素（１１Ｃ）のうち、第２の要素（２１）が重ならない一つの要素の観察部（Ｖ）の少なくとも一部に重なり、他の要素の観察部（Ｖ）に重ならない配置である。
【０１６３】
このような配置とする理由は、前述した第１の要素（１１）と第２の要素（２１）の第１の配置〜第４の配置において、第１の潜像要素（１１Ａ）、第２の潜像要素（１１Ｂ）、背景要素（１１Ｃ）のうち、異なる位相に配置された二つの要素に第２の要素（２１）が重なる場合は、第２の要素（２１）が重なる部分が異なる濃度で観察されるために、観察部（Ｖ）に重なる第２の要素（２１）の面積率を異ならせる必要があるが、第３の模様（３０）を形成することによって、第１の潜像要素（１１Ａ）、第２の潜像要素（１１Ｂ）、背景要素（１１Ｃ）のうち、二つの要素の一方に第２の要素（２１）が重なり、他方に第３の要素（３１）が重なるように配置すれば、第１の潜像要素（１１Ａ）に対する潜像の図柄、第２の潜像要素（１１Ｂ）に対する潜像の図柄及びその背景のそれぞれを異なる色で観察することができるからである。
【０１６４】
図３２（ａ）に第５の配置の一例を示す。
【０１６５】
図３２（ａ）は、第２の要素（２１）が、第１の潜像要素（１１Ａ）の全体に重なり、第２の潜像要素（１１Ｂ）及び背景要素（１１Ｃ）に重ならず、第３の要素（３１）が第２の潜像要素（１１Ｂ）の全体に重なり、第１の潜像要素（１１Ａ）及び背景要素（１１Ｃ）に重ならない状態を示している。
【０１６６】
このとき、第２の要素（２１）の画線の幅（Ｗ２）と第３の要素（Ｗ３）は、潜像の視認性を低下させないため、少なくとも１０μｍより大きくする必要があり、上限は、一つの要素の観察部（Ｖ）に重なり、他の要素の観察部（Ｖ）に重ならない範囲である。
【０１６７】
図３２（ａ）に示す第５の配置の潜像模様形成体（１）の第１の模様（１０）、第２の模様（２０）及び第３の模様（３０）が形成された領域を斜めから観察した場合、図３２（ｂ）に示す潜像模様（５）が観察される。このときに観察される潜像模様（５）の「Ａ」の文字は、第２の要素（２１）の色で視認され、「Ａ」の文字の背景は、第３の要素（３１）の色で視認される。このように、潜像模様（５）が観察される理由は、以下の通りである。
【０１６８】
潜像模様（５）のうち、「Ａ」の文字が観察される部分に対する第１の模様（１０）は、二つの異なる位相に配置された第１の潜像要素（１１Ａ）と背景要素（１１Ｃ）で構成されており、第１の配置のとき、第１の潜像要素（１１Ａ）の観察部（Ｖ）に第２の要素（２１）が重なることによって、図３２（ｃ）に示す第２の要素（２１）の色で観察される第１の潜像部（３）が形成される。また、背景要素（１１Ｃ）には、第２の要素（２１）が重ならないが、第１の潜像要素（１１Ａ）の観察部（Ｖ）に第２の要素（２１）が重なることによって、図３２（ｃ）に示す白抜きで観察される背景部（６）が形成される。
【０１６９】
また、潜像模様（５）のうち、「Ａ」の文字の背景が観察される部分に対する第１の模様（１０）においては、第２の潜像要素（１１Ｂ）の観察部（Ｖ）に第３の要素（３１）が重なることによって、図３２（ｄ）に示す第３の要素（３１）の色で観察される第２の潜像部（４）が形成される。このとき、第２の要素（２１）の色と第３の要素（３１）の色が異なるため、「ＪＰＮ」の文字は、「ＮＰＢ」の文字が観察される色に対して、異なる色で観察される。また、背景要素（１１Ｃ）には、第３の要素（３１）が重ならないが、第２の潜像要素（１１Ｂ）の観察部（Ｖ）に第３の要素（２１）が重なることによって、図３２（ｄ）に示す白抜きで観察される背景部（６）が形成される。
【０１７０】
以上の説明から、図３２（ａ）に示す第５の配置においては、第１の潜像部（３）と第２の潜像部（４）に対し、互いの背景となる背景部（６）が白抜きで観察される中、第２の要素（２１）の色で観察される第１の潜像部（３）が、潜像模様（５）の「Ａ」の文字に配置されることで、「Ａ」の文字全体としては、第２の要素（２１）の色で観察される。また、第３の要素（３１）の色で観察される第２の潜像部（３）が、潜像模様（５）の「Ａ」の文字の背景に配置されることで、「Ａ」の文字の背景全体としては、第３の要素（３１）の色で観察される。
【０１７１】
このように、図３２（ａ）に示す第５の配置とした場合には、第２の要素（２１）と第３の要素（３１）の色の差によって、「Ａ」の文字と「Ａ」の文字の背景は、色の異なる潜像模様（５）として観察される。なお、図３２（ａ）に示す配置とは異なる第５の配置、例えば、第１の潜像要素（１１Ａ）の観察部（Ｖ）に第２の要素（２１）が重なり、背景要素（１１Ｃ）の観察部（Ｖ）に第３の要素（３１）が重なる配置とした場合でも、第２の要素（２１）と第３の要素（３１）の色の差によって、「Ａ」の文字と「Ａ」の文字の背景が、異なる色となって潜像模様（５）が観察される。
【０１７２】
続いて、第３の模様（３０）が形成される場合の二つ目（以降、第６の配置という）の配置について説明する。
【０１７３】
第３の模様（３０）が形成される場合の第６の配置は、第２の要素（２１）が、第１の潜像要素（１１Ａ）、第２の潜像要素（１１Ｂ）及び背景要素（１１Ｃ）のうち、異なる位相に配置された二つの要素の観察部（Ｖ）のそれぞれの少なくとも一部に重なり、他の要素の観察部（Ｖ）に重ならず、第３の要素（３１）が、第２の要素（２１）に重ならず、かつ、第１の潜像要素（１１Ａ）、第２の潜像要素（１１Ｂ）及び背景要素（１１Ｃ）のうち、第２の要素（２１）が重ならない残りの要素の観察部（Ｖ）の一部に少なくとも重なる配置である。この場合、第２の要素（２１）が二つの要素に重なる面積率を異ならせる必要がある。
【０１７４】
図３３（ａ）に第６の配置の一例を示す。
【０１７５】
図３３（ａ）は、第２の要素（２１）が、第１の潜像要素（１１Ａ）の全体と背景要素（１１Ｃ）の観察部（Ｖ）の一部に重なり、第２の潜像要素（１１Ｂ）に重ならず、第３の要素（３１）が第２の潜像要素（１１Ｂ）の全体に重なり、第１の潜像要素（１１Ａ）及び背景要素（１１Ｃ）に重ならない状態を示している。また、第１の潜像要素（１１Ａ）の観察部（Ｖ）に重なる第２の要素（２１）の面積率が、背景要素（１１Ｃ）の観察部（Ｖ）に重なる第２の要素（２１）の面積率より大きい状態を示している。図３３（ａ）に示す配置は、図２４（ａ）に示す第１の配置に対して、第２の潜像要素（１１Ｂ）に第３の要素（３１）が重なる点が異なる。
【０１７６】
このとき、第２の要素（２１）の画線の幅（Ｗ２）と第３の要素（Ｗ３）は、潜像の視認性を低下させないため、少なくとも１０μｍより大きくする必要がある。第２の要素（２１）の画線の幅（Ｗ２）の上限は、図１４及び図１５に示す各要素の配置によって適宜調整して第６の配置とすればよいが、必ず、二つの要素の観察部（Ｖ）に異なる面積率で重なり、他の要素の観察部（Ｖ）に重ならないようにする必要がある。また、第３の要素（３１）の画線の幅（Ｗ３）の上限は、第２の要素（２１）の画線の幅（Ｗ２）と図１４及び図１５に示す各要素の配置によるが、必ず、第２の要素（２１）に重ならないようにする必要がある。
【０１７７】
図３３（ａ）に示す第６の配置の潜像模様形成体（１）の第１の模様（１０）、第２の模様（２０）及び第３の模様（３０）が形成された領域を斜めから観察した場合、図３３（ｂ）に示す潜像模様（５）が観察される。このときに観察される潜像模様（５）の「Ａ」の文字は、第２の要素（２１）の色が高い濃度で視認され、「Ａ」の文字の背景は、第３の要素（３１）の色で視認される。このように、潜像模様（５）が観察される理由は、以下の通りである。
【０１７８】
潜像模様（５）のうち、「Ａ」の文字が観察される部分に対する第１の模様（１０）は、二つの異なる位相に配置された第１の潜像要素（１１Ａ）と背景要素（１１Ｃ）で構成されており、図３３（ａ）に示す第６の配置のとき、第１の潜像要素（１１Ａ）の観察部（Ｖ）に第２の要素（２１）が重なることによって、図３３（ｃ）に示す第２の要素（２１）の色で観察される第１の潜像部（３）が形成される。また、背景要素（１１Ｃ）の観察部（Ｖ）に第２の要素（２１）が重なることによって、図３３（ｃ）に示す第２の要素（２１）の色で観察される背景部（６）が形成される。このとき、「ＮＰＢ」の文字は、「ＮＰＢ」の文字に対応する第１の潜像要素（１１Ａ）の観察部（Ｖ）に重なる第２の要素（２１）の面積率が、「ＮＰＢ」の文字の背景に対応する背景要素（１１Ｃ）に重なる第２の要素（２１）の面積率より大きく、斜めから観察するときに視認される第２の要素（２１）の面積が大きくなるため、「ＮＰＢ」の文字の背景より高い濃度で観察される。
【０１７９】
また、潜像模様（５）のうち、「Ａ」の文字の背景が観察される部分に対する第１の模様（１０）においては、第２の潜像要素（１１Ｂ）の観察部（Ｖ）に第３の要素（３１）が重なることによって、図３３（ｄ）に示す第３の要素（３１）の色で観察される第２の潜像部（４）が形成される。また、背景要素（１１Ｃ）の観察部（Ｖ）に、第２の要素（２１）が重なることによって、図３３（ｄ）に示す第２の要素（２１）の色で観察される背景部（６）が形成される。なお、図３３（ｃ）に示す背景部（６）と図３３（ｄ）に示す背景部（６）は、同じ色で観察される。
【０１８０】
以上の説明から、図３３（ａ）に示す第６の配置においては、「Ａ」の文字と「Ａ」の文字の背景で互いに共通する背景部（６）は、第２の要素（２１）の色が低い濃度で視認される中、高い濃度で観察される第１の潜像部（３）が、潜像模様（５）の「Ａ」の文字に配置されることで、第１の潜像部（３）の色が強調され、「Ａ」の文字全体としては、第２の要素（２１）の色が高い濃度で観察される。また、第３の要素（３１）の色で観察される第２の潜像部（４）が、潜像模様（５）の「Ａ」の文字の背景に配置されることで、第２の潜像部（４）の色が強調され、「Ａ」の文字の背景全体としては、第３の要素（３１）の色で観察される。
【０１８１】
なお、図３３（ａ）に示す第６の配置とは異なる配置、例えば、第２の潜像要素（１１Ｂ）と背景要素（１１Ｃ）の観察部（Ｖ）に第２の要素（２１）が異なる面積率で重なり、第１の潜像要素（１１Ａ）の観察部（Ｖ）に第３の要素（３１）が重なる場合においても、「Ａ」の文字と「Ａ」の文字の背景は、色の異なる潜像模様（５）として観察される。この場合、図３３（ｂ）に示す潜像模様（５）に対して、「Ａ」の文字と「Ａ」の文字の背景で色が入れ替わって観察される。
【０１８２】
一方、第６の配置において、第１の潜像要素（１１Ａ）と第２の潜像要素（１１Ｂ）の観察部（Ｖ）に第２の要素（２１）が異なる面積率で重なり、背景要素（１１Ｃ）の観察部（Ｖ）に第３の要素（３１）が重なる場合には、潜像模様（５）の「Ａ」の文字と「Ａ」の文字の背景で互いに共通する背景部（６）が、第３の要素（３１）で視認される中、「Ａ」の文字に配置される第１の潜像部（３）が視認される色（第２の要素の色）と、「Ａ」の文字の背景に配置される第２の潜像部（４）が視認される色（第２の要素の色）の濃度差が強調されて、「Ａ」の文字と「Ａ」の文字の背景は、異なる濃度の潜像模様（５）として観察される。
【０１８３】
以上説明した、第６の配置は、第３の要素（３１）が、第１の潜像要素（１１Ａ）、第２の潜像要素（１１Ｂ）及び背景要素（１１Ｃ）のうち、第２の要素（２１）が重ならない残りの一つの要素の観察部（Ｖ）に重なる例であるが、第３の要素（３１）は、更に、第２の要素（２１）が重なる一つの要素の観察部（Ｖ）に重なってもよい。ただし、この場合、前述したように、第３の要素（３１）を第２の要素（２１）と重ならないように配置する必要がある。この配置の一例を図３４（ａ）に示す。
【０１８４】
図３４（ａ）は、図３３（ａ）に示す第６の配置から、更に、第３の要素（３１）が背景要素（１１Ｃ）の観察部（Ｖ）の一部と非観察部（Ｖ’）の全体に重なる状態を示している。また、第２の潜像要素（１１Ｂ）の観察部（Ｖ）に重なる第３の要素（３１）の面積率が、背景要素（１１Ｃ）の観察部（Ｖ）に重なる第３の要素（３１）の面積率より大きい状態を示している。
【０１８５】
この場合、第１の潜像部（３）と第２の潜像部（４）の視認性は、図３３（ａ）に示す配置のときの同じであるが、背景要素（１１Ｃ）の観察部（Ｖ）に第２の要素（２１）と第３の要素（３１）が重なることによって、第２の要素（２１）と第３の要素（３１）の色が混色した状態で観察される背景部（６）が形成される。
【０１８６】
結果的に、潜像模様（５）の「Ａ」の文字と「Ａ」の文字の背景で互いに共通する背景部（６）は、第２の要素（２１）の色と第３の要素（３１）の色が混色した状態で観察される中、第２の要素（２１）の色で観察される第１の潜像部（３）が、潜像模様（５）の「Ａ」の文字に配置されることで、第１の潜像部（３）の色が強調され、「Ａ」の文字全体としては、第２の要素（２１）の色で観察される。また、第３の要素（３１）の色で観察される第２の潜像部（４）が、潜像模様（５）の「Ａ」の文字の背景に配置されることで、第２の潜像部（４）の色が強調され、「Ａ」の文字の背景全体としては、第３の要素（３１）の色で観察される。
【０１８７】
図３４（ａ）に示す配置では、背景要素（１１Ｃ）の観察部に、第２の要素（２１）と第３の要素（３１）が重なる配置であるが、第１の潜像要素（１１Ａ）又は第２の潜像要素（１１Ｂ）の観察部に第２の要素（２１）と第３の要素（３１）が重なる場合には、第１の潜像部（３）又は第２の潜像部（４）が、第２の要素（２１）と第３の要素（３１）の色の混色で観察される。
【０１８８】
このように、第１の潜像要素（１１Ａ）、第２の潜像要素（１１Ｂ）及び背景要素（１１１Ｃ）のうち、一つの要素の観察部（Ｖ）に第２の要素（２１）と第３の要素（３１）が重なることによって、二つの色の混色で観察され、これまで説明した配置で観察される、潜像模様（５）と異なる視認性の潜像模様（５）を観察することができる。
【０１８９】
以上に説明した、第３の模様（３０）を追加することにより、斜めから観察したときの潜像に第３の要素（３１）の色を加えて視認させることが可能となり、潜像の意匠性を高めることできる。
【０１９０】
同様にして、第１の要素（２１）及び第３の要素（３１）と異なる色で成る第４の要素を万線状に複数配置して第４の模様を形成し、第２の要素（２１）、第３の要素（３１）及び第４の要素が互いに重ならず、かつ、第２の要素（２１）、第３の要素（３１）及び第４の要素のそれぞれが、第１の潜像要素（１１Ａ）、第２の潜像要素（１１Ｂ）及び背景要素（１１Ｃ）の観察部（Ｖ）のいずれかに重なるように配置することで、潜像模様の意匠性を高めることができる。
【０１９１】
以上説明した潜像模様形成体（１）は、第１の潜像部（３）である「ＮＰＢ」の文字と第２の潜像部（４）である「ＪＰＮ」の文字が異なる濃度又は色で観察され、「ＮＰＢ」の文字の背景と「ＪＰＮ」の文字の背景は共通の背景部（６）として同じ濃度又は色で観察され、第１の潜像部（３）と第２の潜像部（４）の配置によって潜像模様（５）が形成されるが、本発明で潜像が出現する原理を用いて、図３５（ａ）及び（ｂ）に示すように、「ＮＰＢ」の文字に対する背景部（１６）と、「ＪＰＮ」の文字に対する背景部（１７）を異なる濃度又は色で出現させ、「ＮＰＢ」と「ＪＰＮ」の文字を共通の潜像部（１５）として同じ濃度又は色で出現させることによって、図３６に示す潜像模様（５）を形成することができる。図３６に示す潜像模様（５）は、「Ａ」の文字と「Ａ」の文字の背景が異なる濃度又は色で観察される点は、先に説明した潜像模様形成体（１）と同じであるが、「ＮＰＢ」の文字に対する背景部（１６）と「ＪＰＮ」の文字に対する背景部（１７）の濃度又は色の差によって構成される点が異なる。続いて、図３６に示す潜像模様（５）を形成するための構成について、第１の模様（１０）と第２の模様（２０）が形成される潜像模様形成体（１Ａ）の例で説明する。
【０１９２】
図３７（ａ）は、潜像模様（５）と第１の模様（１０）の配置を示す模式図であり、図３７（ｂ）は、図３７（ａ）に示す太線枠の位置の潜像模様（５）に対する第１の模様（１０）を拡大した図である。なお、図３７（ａ）に示す太線枠の位置は、潜像模様（５）のうち、「Ａ」の文字が観察される部分と、「Ａ」の文字の背景が観察される部分の境界の位置である。また、図３７（ｂ）に示す一点鎖線は、「Ａ」の文字が観察される部分と「Ａ」の文字の背景が観察される部分の境界を示すためのものであり、一点鎖線の左側に配置される第１の要素（１１）は、潜像模様（５）の「Ａ」の文字（「ＮＰＢ」の文字とその背景）に対応し、一点鎖線の右側に配置される第２の潜像要素（１１Ｂ）は、潜像模様（５）の「Ａ」の文字（「ＮＰＢの文字とその背景」）の背景に対応している。
【０１９３】
図３７（ｂ）に示すように、潜像模様形成体（１Ａ）の第１の模様（１０）を構成する第１の要素（１１）は三つの異なる位相に配置される。この構成は、潜像模様形成体（１）の第１の模様（１０）と同じであるが、潜像模様形成体（１Ａ）の場合、三つの異なる位相に配置された第１の要素（１１）が、それぞれ、「ＮＰＢ」の文字に対する背景、「ＪＰＮ」の文字に対する背景、「ＪＰＮ」と「ＮＰＢ」の文字に対応している点が異なる。以降、三つの異なる位相に配置された第１の要素（１１）のうち、「ＮＰＢ」の文字の背景に対応する第１の要素（１１）を「第１の背景要素（１１Ｄ）」とし、「ＪＰＮ」の文字の背景に対応する第１の要素（１１）を「第２の背景要素（１１Ｅ）」とし、「ＮＰＢ」と「ＮＰＢ」の文字に対応する第１の要素（１１）を「潜像要素（１１Ｆ）」として説明する。
【０１９４】
図３７（ｂ）に示すように、「ＮＰＢ」の文字に対応する潜像要素（１１Ｆ）と「ＪＰＮ」の文字に対応する潜像要素（１１Ｆ）は、同じ位相に配置され、第１の背景要素（１１Ｄ）、第２の背景要素（１１Ｅ）及び潜像要素（１１Ｆ）は、異なる位相に配置される。
【０１９５】
以上の構成で成る第１の模様（１０）に対して、第１の背景要素（１１Ｄ）及び第２の背景要素（１１Ｅ）の観察部（Ｖ）に第２の要素（２１）が重なることによって、図３５に示すように、「ＮＰＢ」の文字に対する背景部（１６）と「ＪＰＮ」の文字に対する背景部（１７）が形成される。以降、第１の背景要素（１１Ｄ）に対応し、「ＮＰＢ」の文字に対する背景部を「第１の背景部（１６）」として説明する。また、第２の背景要素（１１Ｅ）に対応し、「ＪＰＮ」の文字に対する背景部を「第２の背景部（１７）」として説明する。
【０１９６】
このとき、第１の背景要素（１１Ｄ）の観察部（Ｖ）に重なる第２の要素（２１）の面積率を第２の背景要素（１１Ｅ）の観察部（Ｖ）に重なる第２の要素（２１）の面積率より大きくすることによって、図３５に示すように、第１の背景部（１６）が第２の背景部（１７）より高い濃度で観察される。また、潜像要素（１１Ｆ）の観察部（Ｖ）に、第２の要素（２１）が重ならず、第１の背景要素（１１Ｄ）及び第２の背景要素（１１Ｅ）の観察部（Ｖ）に第２の要素（２１）が重なることによって、図３５に示す白抜きで観察される潜像部（３５）が形成される。
【０１９７】
そして、潜像模様形成体（１Ａ）を斜めら観察した場合、図３６に示すように、「Ａ」の文字と「Ａ」の文字の背景で互いに共通する潜像部（１５）は、白抜きで観察される中、高い濃度で観察される第１の背景部（１６）が潜像模様（５）の「Ａ」の文字に配置されることで、「Ａ」の文字全体としては、第２の要素（２１）の色が高い濃度で観察される。また、第１の背景部（１６）に対して低い濃度で観察される第２の背景部（１７）が、潜像模様（５）の「Ａ」の文字の背景に配置されることで、「Ａ」の文字の背景全体としては、第２の要素（２１）の色が低い濃度で観察される。
【０１９８】
なお、潜像模様形成体（１Ａ）を斜めから観察したときに視認される潜像模様（５）は、図３６に示す模様だけでなく、第１の背景要素（１１Ｄ）、第２の背景要素（１１Ｅ）及び潜像要素（１１Ｆ）と第２の要素（２１）の配置を、先に説明した第１の配置から第４の配置と同様に異ならせることで、多彩な潜像模様（５）が観察される。また、第３の模様（３０）を形成する場合も、先に説明した第５の配置及び第６の配置と同様に各要素を配置すればよい。
【０１９９】
従来（特許第２６０００９４号公報）の潜像模様形成体で観察される潜像は、本発明の潜像部の図柄である「ＮＰＢ」と「ＪＰＮ」の文字のように、潜像毎に異なる濃度又は色で出現するものではなく、このような潜像を、単純に、「Ａ」の文字とその背景に配置した場合には、「Ａ」の文字とその背景の濃度の差又は色の差が得られず、本発明の潜像模様（５）を観察することができない。また、仮に、「Ａ」の文字を構成する潜像部と、「Ａ」の文字の背景を構成する潜像部の濃度を異ならせて形成したとき、それぞれの背景部の濃度が異なる場合には、潜像全体としては四つの濃度で観察され、「Ａ」の文字とその背景、あるいは、潜像部の図柄とその背景でコントラストが低下してしまうという問題がある。また、「Ａ」の文字とその背景に、従来の潜像を、色を異ならせて配置することも考えられるが、構造が単純であるため、複製される可能性がある。これに加えて、「Ａ」の文字に対応する潜像部と「Ａ」の文字の背景に対応する潜像部を異なる色で出現させるためには、各潜像部を構成する第１の要素の位相の差を十分に設ける必要があり、その場合、潜像を視認するための画線（本発明でいう第２の要素と第３の要素）の間隔が大きくなり、結果的に潜像の視認性が低下してしまう。そこで、本発明の潜像模様形成体（１）は、第１の潜像部（３）と第２の潜像部（４）に対する背景部（６）を共通とし、第１の潜像部（３）で構成される「Ａ」の文字と第２の潜像部（４）で構成される「Ａ」の文字の背景のそれぞれを、背景部（６）に対して異なる色又は濃度で出現させることで、潜像模様（５）の視認性に優れたものとしている。
【０２００】
以下、実施例を用いて本発明を更に詳細に説明するが、本発明の内容は、これら実施例の範囲に限定されるものではない。
【０２０１】
（実施例１）  
実施例１は、第１の模様（１０）と第２の模様（２０）が形成されて成る潜像模様形成体（１）である。実施例１の潜像模様形成体（１）について、実施の形態で説明した図面を用いて説明する。
【０２０２】
実施例１の潜像模様形成体（１）は、図１に示すように、基材（２）に第１の模様（１０）と第２の模様（２０）が形成されて成る。基材（２）は、白色の紙から形成されたものであり、基材（２）の厚さは、１００μｍのものを用いた。
【０２０３】
図３に示す第１の模様（１０）は、抄紙機における湿紙の段階で円網により透かし模様として形成した。このとき、第１の要素の深さ（ｈ）が４５μｍの凹形状で、画線の幅（Ｗ１）が２００μｍの直線で構成される第１の要素（１１）を、第１のピッチ（Ｐ１）を６００μｍとして、第１の要素（１１）を万線状に複数配置して第１の模様（１０）を形成した。
【０２０４】
このとき、第１の模様（１０）は、万線状に複数配置した第１の要素（１１）の位相を異ならせることにより、図１０（ｃ）に示す「ＮＰＢ」の文字を構成する第１の潜像要素（１１Ａ）と背景要素（１１Ｃ）及び図１１（ｃ）に示す「ＪＰＮ」の文字を構成する第２の潜像要素（１１Ｂ）と背景要素（１１Ｃ）から成る構成で形成した。なお、第１の潜像要素（１１Ａ）は、背景要素（１１Ｃ）に対して、第１のピッチ（Ｐ１）の１／３ピッチ下方へ位相をずらして形成し、第２の潜像要素（１１Ｂ）は、背景要素（１１Ｃ）に対して、第１のピッチ（Ｐ１）の２／３ピッチ下方へ位相をずらして形成した。また、第１の潜像部（３）の図柄（実施例１では「ＮＰＢ」の文字）を複数配置して、潜像模様（５）の図柄である「Ａ」の文字を形成し、第２の潜像部（４）の図柄（実施例１では「ＪＰＮ」の文字）を複数配置して、潜像模様（５）の「Ａ」の文字の背景を形成した。
【０２０５】
図１７に示す第２の模様（２０）は、シアンインキ（ＴＫ  ハイユニティネオ  東洋インキ製）を用い、オフセット印刷によって形成した。このとき、画線の幅（Ｗ２）が２５０μｍの直線で構成される第２の要素（２１）を、第２のピッチ（Ｐ２）を６００μｍとして、第２の要素（２１）を万線状に複数配置して第２の模様（２０）を形成した。
【０２０６】
以上の構成から成る第１の模様（１０）と第２の模様（２０）を図２４に示す第１の配置で形成し、潜像模様形成体（１）を作製した。
【０２０７】
このようにして作製した潜像模様形成体（１）を斜めから観察すると、図２４（ｂ）に示す潜像模様（５）である「Ａ」の文字とその背景が第２の要素（２１）の色で観察された。また、潜像模様（５）の「Ａ」の文字が観察される部分を拡大してみると図２４（ｃ）に示す第１の潜像部（３）が観察され、潜像模様（５）の「Ａ」の文字の背景が観察される部分を拡大してみると図２４（ｄ）に示す第２の潜像部（４）が観察された。
【０２０８】
（実施例２）  
実施例２は、凹版インキを印刷して凸形状の第１の要素（１１）を形成し、また、第２の要素（２１）を画素で構成した潜像模様形成（１）である。実施例２は、実施例１に対して異なる点のみを説明する。
【０２０９】
実施例２の第２の要素（２１）は、図８（ａ）に示す文字による画素で構成した。なお、画素の幅（Ｘ２）を２５０μｍ、画素の高さ（Ｗ２）を２５０μｍ、画素のピッチ（ｐ２）を３００μｍで一定のピッチとし第２の要素（２１）を形成した。そして、第２のピッチ（Ｐ２）を６００μｍとし、第２の要素（２１）を万線状に複数配置して第２の模様（２０）を形成した。
【０２１０】
このようにして作製した実施例２の潜像模様形成体（１）を、第２の模様（２０）が形成された面の真上から観察すると、第２の模様（２０）が観察された。このとき、第２の要素（２１）を構成する画素の幅（Ｘ２）が２５０μｍであるのに対して、画素のピッチ（ｐ２）を３００μｍで形成しており、画素の間隔が５０μｍと小さいため、第２の模様（２０）は、目視上直線による第２の要素（２１）で形成された模様と同じように観察された。そこで、ルーペで拡大して第２の模様（２０）を真上から観察すると、文字による画素が観察された。また、実施例１と同様に、実施例２の潜像模様形成体（１）を、斜めから観察すると、実施例１と同じ潜像を観察することができた。
【０２１１】
このように、実施例２の潜像模様形成体（１）のように、斜めから観察したときに潜像が観察されるだけでなく、第２の要素（２１）を微小な画素で形成することによって、潜像模様形成体（１）に付加的なその他の偽造防止効果をもたせることも可能である。
【０２１２】
（実施例３）  
実施例３は、実施例１に対して、凸状となる版をプレス機でプレスして、凹形状の第１の要素（１１）を形成し、さらに、第３の模様（３０）を形成した潜像模様形成体（１）である。実施例３は、実施例１に対して異なる点のみを説明する。
【０２１３】
実施例３において、第２の模様（２０）は、シアンインキ（ＴＫ  ハイユニティネオ  東洋インキ製）を用い、オフセット印刷によって形成した。このとき、画線の幅（Ｗ２）を２００μｍの直線で構成し、第２のピッチ（Ｐ２）を６００μｍとして、第２の要素（２１）を万線状に複数配置して第２の模様（２０）を形成した。
【０２１４】
第３の模様（３０）は、マゼンタインキ（ＴＫ  ハイユニティネオ  東洋インキ製）を用い、オフセット印刷によって形成した。その他の構成は、第２の模様（２０）と同じである。
【０２１５】
以上の構成から成る第１の模様（１０）と第２の模様（２０）を、第１の模様（１０）が形成された基材（２）に形成し、図３８（ａ）に示すように配置して潜像模様形成体（２）を作製した。図３８（ａ）は、シアンインキで形成される第２の要素（２１）が第１の潜像要素（１１Ａ）の全体に重なり、マゼンタインキで形成される第３の要素（３１）が第２の潜像要素（１１Ｂ）の全体に重なる状態を示している。
【０２１６】
このようにして作製した潜像模様形成体（１）を斜めから観察すると、図３８（ｂ）に示す潜像模様（５）が観察され、「Ａ」の文字は、マゼンタ色で観察され、「Ａ」の文字の背景は、シアン色で観察された。また、潜像模様（５）の「Ａ」の文字が観察される部分を拡大してみると、図３８（ｃ）に示すように、第１の潜像部（３）がマゼンタ色で観察され、図３８（ｄ）に示すように、第２の潜像部（４）がシアン色で観察された。
【０２１７】
（実施例４）  
実施例４は、実施例３に対して、背景要素（１１Ｃ）の観察部（Ｖ）に第２の要素（２１）と第３の要素（３１）が重なる配置とした潜像模様形成体（１）である。実施例４は、実施例３に対して異なる点のみを説明する。
【０２１８】
実施例４において、第２の模様（２０）は、第２の要素（２１）の画線の幅（Ｗ２）を２５０μｍで形成し、第３の模様（３０）は、第３の要素（３１）の画線の幅（Ｗ３）を２５０μｍで形成した。
【０２１９】
そして、図３９（ａ）に示すように、第２の要素（２１）が第１の潜像要素（１１Ａ）の全体と、図３９（ａ）に示す背景要素（１１Ｃ）の観察部（Ｖ）の下側半分に重なり、第３の要素（３１）が、第２の潜像要素（１１Ｂ）の観察部（Ｖ）の全体、背景要素（１１Ｃ）の観察部（Ｖ）の上側半分及び背景要素（１１Ｃ）の非観察部（Ｖ’）の全体に重なるように配置した。
【０２２０】
このようにして作製した潜像模様形成体（１）を斜めから観察すると、図３９（ｂ）に示す潜像模様（５）が観察された。このとき、潜像模様（５）の「Ａ」の文字と「Ａ」の文字の背景で互いに共通する背景部（６）は、第２の要素（２１）の色と第３の要素（３１）の色が混色した状態で観察される中、潜像模様（５）の「Ａ」の文字に配置される第１の潜像部（３）の色が強調され、「Ａ」の文字全体としては、シアン色で観察された。また、潜像模様（５）の「Ａ」の文字に配置される第２の潜像部（４）の色が強調され、「Ａ」の文字の背景全体としては、マゼンタ色で観察された。また、潜像模様（５）の「Ａ」の文字が観察される部分を拡大してみると、図３９（ｃ）に示すように、第１の潜像部（３）がマゼンタ色で観察され、図３９（ｄ）に示すように、第２の潜像部（４）がシアン色で観察された。
【符号の説明】
【０２２１】
１、１Ａ  潜像模様形成体
２  基材
３  第１の潜像部
４  第２の潜像部
５  潜像模様
６  背景部
１０  第１の模様
１１  第１の要素
１１Ａ  第１の潜像要素
１１Ｂ  第２の潜像要素
１１Ｃ  背景要素
１１Ｄ  第１の背景要素
１１Ｅ  第２の背景要素
１１Ｆ  潜像要素
１５  潜像部
１６  第１の背景部
１７  第２の背景部
２０  第２の模様
２１  第２の要素
３０  第３の模様
３１  第３の要素
Ｗ１  画線の幅（第１の要素）
Ｗ１’  画素の高さ
Ｐ１  第１のピッチ
Ｘ１  画素の幅
ｐ１  画素のピッチ
Ｗ２  画線の幅（第２の要素）
Ｗ２’画素の高さ
Ｐ２  第２のピッチ
Ｘ２  画素の幅
ｐ２  画素のピッチ
Ｖ  観察部
Ｖ’  非観察部
Ｖ１  斜めから観察したときに手前側となる凸形状の表面  
Ｖ２  斜めから観察したときに奥側となる凸形状の表面
Ｖ３   凸形状の第１の要素が形成されない基材の平らな部分
Ｖ４  凸形状の上面
Ｖ５  斜めから観察したときに奥側となる凹形状の表面
Ｖ６  斜めから観察したときに手前側となる凹形状の表面
Ｖ７  凹形状の第１の要素が形成されない基材の平らな部分
Ｖ８  凹形状の下面
Ｖ９  凹形状又は凸形状の第１の要素が形成されない基材の平らな部分
Ｑ  凸形状の頂点
Ｒ  凹形状の底点
【図１】
0005493109.tif 000002
【図２】
0005493109.tif 000003
【図３】
0005493109.tif 000004
【図４】
0005493109.tif 000005
【図５】
0005493109.tif 000006
【図６】
0005493109.tif 000007
【図７】
0005493109.tif 000008
【図８】
0005493109.tif 000009
【図９】
0005493109.tif 000010
【図１０】
0005493109.tif 000011
【図１１】
0005493109.tif 000012
【図１２】
0005493109.tif 000013
【図１３】
0005493109.tif 000014
【図１４】
0005493109.tif 000015
【図１５】
0005493109.tif 000016
【図１６】
0005493109.tif 000017
【図１７】
0005493109.tif 000018
【図１８】
0005493109.tif 000019
【図１９】
0005493109.tif 000020
【図２０】
0005493109.tif 000021
【図２１】
0005493109.tif 000022
【図２２】
0005493109.tif 000023
【図２３】
0005493109.tif 000024
【図２４】
0005493109.tif 000025
【図２５】
0005493109.tif 000026
【図２６】
0005493109.tif 000027
【図２７】
0005493109.tif 000028
【図２８】
0005493109.tif 000029
【図２９】
0005493109.tif 000030
【図３０】
0005493109.tif 000031
【図３１】
0005493109.tif 000032
【図３２】
0005493109.tif 000033
【図３３】
0005493109.tif 000034
【図３４】
0005493109.tif 000035
【図３５】
0005493109.tif 000036
【図３６】
0005493109.tif 000037
【図３７】
0005493109.tif 000038
【図３８】
0005493109.tif 000039
【図３９】
0005493109.tif 000040